(57)【特許請求の範囲】
【請求項１】
映像データを記録再生するサーバ装置と、ローカルエリアネットワークを介して通信する端末側通信手段と、
上記映像データに基づく映像の名称及び当該映像に関する映像情報のリストに基づき上記映像の名称を一覧表示し、また上記映像データに基づく映像を表示する表示手段と、
再生対象の上記映像データ及び記録対象の上記映像データを任意に選択するために用いられる選択操作手段と、
上記リストを送信要求するリスト送信要求を生成し、また上記映像データを再生用に送信要求する再生映像送信要求を生成し、さらに上記映像データを記録用に送信要求する記録映像送信要求を生成する送信要求生成手段と、
端末側記録媒体に上記映像データを記録し、当該端末側記録媒体から上記映像データを再生する端末側記録再生手段と、
上記端末側通信手段により上記リスト送信要求を上記ローカルエリアネットワークを介して上記サーバ装置に送信させることにより、当該サーバ装置から上記リスト送信要求に応じて上記ローカルエリアネットワークを介して送信された上記リストを上記端末側通信手段によって受信させて、上記表示手段に当該リストに基づき上記映像の名称を一覧表示させると共に、当該一覧表示させた上記映像の名称の中で上記選択操作手段を介して任意に指示された当該映像の名称に対応する上記映像情報を表示させるようにして、上記選択操作手段を介して上記映像の名称により再生対象の上記映像データが任意に選択されると、上記送信要求生成手段に上記選択された再生対象の上記映像データを示す上記再生映像送信要求を生成させて、当該生成させた上記再生映像送信要求を上記端末側通信手段により上記ローカルエリアネットワークを介して上記サーバ装置に送信させることにより、当該サーバ装置から上記再生映像送信要求に応じて上記ローカルエリアネットワークを介して送信された上記映像データを上記端末側通信手段によって受信させながら上記表示手段に当該映像データに基づく映像をリアルタイムで表示させ、また上記選択操作手段を介して上記映像の名称により記録対象の上記映像データが任意に選択されると、上記送信要求生成手段に上記選択された記録対象の上記映像データを示す上記記録映像送信要求を生成させて、当該生成させた上記記録映像送信要求を上記端末側通信手段により上記ローカルエリアネットワークを介して上記サーバ装置に送信させることにより、当該サーバ装置から上記記録映像送信要求に応じて上記ローカルエリアネットワークを介して送信された上記映像データを上記端末側通信手段によって受信させて上記端末側記録再生手段により上記端末側記録媒体に記録させ、上記端末側記録再生手段により上記端末側記録媒体から上記映像データを再生させて上記表示手段に当該映像データに基づく映像を表示させる端末側制御手段と
を有する端末装置と、
上記端末装置と、上記ローカルエリアネットワークを介して通信するサーバ側通信手段と、
サーバ側記録媒体に上記映像データを記録し、当該サーバ側記録媒体から上記映像データを再生するサーバ側記録再生手段と、
上記サーバ側記録媒体に記録された上記映像データの上記リストを生成するリスト生成手段と、
上記端末装置から上記ローカルエリアネットワークを介して送信された上記リスト送信要求が上記サーバ側通信手段によって受信されると、上記リスト生成手段に上記リストを生成させて、当該生成させた上記リストを上記サーバ側通信手段により上記ローカルエリアネットワークを介して上記端末装置に送信させ、上記端末装置から上記ローカルエリアネットワークを介して送信された上記再生映像送信要求が上記サーバ側通信手段によって受信されると、上記サーバ側記録再生手段により上記サーバ側記録媒体から上記映像データを再生させると共に、当該再生させた上記映像データを上記サーバ側通信手段により上記ローカルエリアネットワークを介して上記端末装置に送信させ、また上記端末装置から上記ローカルエリアネットワークを介して送信された上記記録映像送信要求が上記サーバ側通信手段によって受信されると、上記サーバ側記録媒体に記録されている上記映像データを上記サーバ側通信手段により上記ローカルエリアネットワークを介して上記端末装置に送信させるサーバ側制御手段と
を有する上記サーバ装置と
を具える記録再生システム。
【請求項２】
上記端末装置の上記端末側制御手段は、
上記選択操作手段を介して上記映像の名称により再生対象の上記映像データが任意に選択された後、当該映像データの再生が選択されると、上記送信要求生成手段に上記再生映像送信要求を生成させ、また上記選択操作手段を介して上記映像の名称により記録対象の上記映像データが任意に選択された後、当該映像データの記録が選択されると、上記送信要求生成手段に上記記録映像送信要求を生成させる
請求項１に記載の記録再生システム。
【請求項３】
端末装置と、ローカルエリアネットワークを介して通信する通信手段と、
記録媒体に映像データを記録し、当該記録媒体から上記映像データを再生する記録再生手段と、
上記記録媒体に記録された上記映像データに基づく映像の名称及び当該映像に関する映像情報のリストを生成するリスト生成手段と、
上記端末装置から上記リストを送信要求するリスト送信要求が上記ローカルエリアネットワークを介して送信されて上記通信手段によって受信されると、上記リスト生成手段に上記リストを生成させて、当該生成させた上記リストを上記通信手段により上記ローカルエリアネットワークを介して上記端末装置に送信させ、上記端末装置から上記リストに基づき上記映像の名称を一覧表示させると共に、当該一覧表示させた上記映像の名称の中で、再生対象の上記映像データ及び記録対象の上記映像データを任意に選択するために用いられる選択操作手段を介して任意に指示された当該映像の名称に対応する上記映像情報を表示させるようにして、上記選択操作手段を介して上記映像の名称により再生対象の上記映像データが任意に選択されたことに応じて上記ローカルエリアネットワークを介して送信された、上記選択された再生対象の上記映像データを示し、当該映像データを再生用に送信要求する再生映像送信要求が上記通信手段によって受信されると、上記記録再生手段により上記記録媒体から上記映像データを再生させると共に、当該再生させた上記映像データを上記通信手段により上記ローカルエリアネットワークを介して上記端末装置に送信させ、また上記端末装置から上記選択操作手段を介して上記映像の名称により記録対象の上記映像データが任意に選択されたことに応じて上記ローカルエリアネットワークを介して送信された、上記選択された記録対象の上記映像データを示し、当該映像データを記録用に送信要求する記録映像送信要求が上記通信手段によって受信されると、上記記録媒体に記録されている上記映像データを上記通信手段により上記ローカルエリアネットワークを介して上記端末装置に送信させる制御手段と
を具えるサーバ装置。
【請求項４】
上記通信手段は、
上記端末装置から上記選択操作手段を介して上記映像の名称により再生対象の上記映像データが任意に選択された後、当該映像データの再生が選択されたときに上記ローカルエリアネットワークを介して送信された上記再生映像送信要求を受信し、また上記端末装置から上記選択操作手段を介して上記映像の名称により記録対象の上記映像データが任意に選択された後、当該映像データの記録が選択されたときに上記ローカルエリアネットワークを介して送信された上記記録映像送信要求を受信する
請求項３に記載のサーバ装置。
【請求項５】
映像データを記録再生するサーバ装置と、ローカルエリアネットワークを介して通信する通信手段と、
上記映像データに基づく映像の名称及び当該映像に関する映像情報のリストに基づき上記映像の名称を一覧表示し、また上記映像データに基づく映像を表示する表示手段と、
再生対象の上記映像データ及び記録対象の上記映像データを任意に選択するために用いられる選択操作手段と、
上記リストを送信要求するリスト送信要求を生成し、また上記映像データを再生用に送信要求する再生映像送信要求を生成し、さらに上記映像データを記録用に送信要求する記録映像送信要求を生成する送信要求生成手段と、
記録媒体に上記映像データを記録し、当該記録媒体から上記映像データを再生する記録再生手段と、
上記通信手段により上記リスト送信要求を上記ローカルエリアネットワークを介して上記サーバ装置に送信させることにより、当該サーバ装置から上記リスト送信要求に応じて上記ローカルエリアネットワークを介して送信された上記リストを上記通信手段によって受信させて、上記表示手段に当該リストに基づき上記映像の名称を一覧表示させると共に、当該一覧表示させた上記映像の名称の中で上記選択操作手段を介して任意に指示された当該映像の名称に対応する上記映像情報を表示させるようにして、上記選択操作手段を介して上記映像の名称により再生対象の上記映像データが任意に選択されると、上記送信要求生成手段に上記選択された再生対象の上記映像データを示す上記再生映像送信要求を生成させて、当該生成させた上記再生映像送信要求を上記通信手段により上記ローカルエリアネットワークを介して上記サーバ装置に送信させることにより、当該サーバ装置から上記再生映像送信要求に応じて上記ローカルエリアネットワークを介して送信された上記映像データを上記通信手段によって受信させながら上記表示手段に当該映像データに基づく映像をリアルタイムで表示させ、また上記選択操作手段を介して上記映像の名称により記録対象の上記映像データが任意に選択されると、上記送信要求生成手段に上記選択された記録対象の上記映像データを示す上記記録映像送信要求を生成させて、当該生成させた上記記録映像送信要求を上記通信手段により上記ローカルエリアネットワークを介して上記サーバ装置に送信させることにより、当該サーバ装置から上記記録映像送信要求に応じて上記ローカルエリアネットワークを介して送信された上記映像データを上記通信手段によって受信させて上記記録再生手段により上記記録媒体に記録させ、上記記録再生手段により上記記録媒体から上記映像データを再生させて上記表示手段に当該映像データに基づく映像を表示させる制御手段と
を具える端末装置。
【請求項６】
上記制御手段は、
上記選択操作手段を介して上記映像の名称により再生対象の上記映像データが任意に選択された後、当該映像データの再生が選択されると、上記送信要求生成手段に上記再生映像送信要求を生成させ、また上記選択操作手段を介して上記映像の名称により記録対象の上記映像データが任意に選択された後、当該映像データの記録が選択されると、上記送信要求生成手段に上記記録映像送信要求を生成させる
請求項５に記載の端末装置。
【請求項７】
端末装置からローカルネットワークを介して送信された、リストを送信要求するリスト送信要求を受信するリスト送信要求受信ステップと、
上記リスト送信要求の受信に応じて、記録媒体に記録されている映像データに基づく映像の名称及び当該映像に関する映像情報の上記リストを生成して、当該生成した上記リストを上記ローカルエリアネットワークを介して上記端末装置に送信するリスト送信ステップと、
上記端末装置から上記リストに基づき上記映像の名称を一覧表示させると共に、当該一覧表示させた上記映像の名称の中で、再生対象の上記映像データ及び記録対象の上記映像データを任意に選択するために用いられる選択操作手段を介して任意に指示された当該映像の名称に対応する上記映像情報を表示させるようにして、上記選択操作手段を介して上記映像の名称により再生対象の上記映像データが任意に選択されたことに応じて上記ローカルエリアネットワークを介して送信された、上記選択された再生対象の上記映像データを示し、当該映像データを再生用に送信要求する再生映像送信要求を受信し、また上記端末装置から上記選択操作手段を介して上記映像の名称により記録対象の上記映像データが任意に選択されたことに応じて上記ローカルエリアネットワークを介して送信された、上記選択された記録対象の上記映像データを示し、当該映像データを記録用に送信要求する記録映像送信要求を受信する映像送信要求受信ステップと、
上記再生映像送信要求の受信に応じて、上記記録録媒体から上記映像データを再生すると共に、当該再生した上記映像データを上記ローカルエリアネットワークを介して上記端末装置に送信し、また上記記録映像送信要求の受信に応じて、上記記録媒体に記録されている上記映像データを上記ローカルエリアネットワークを介して上記端末装置に送信する映像データ送信ステップと
を具える映像データ提供方法。
【請求項８】
上記映像送信要求受信ステップは、
上記端末装置から上記選択操作手段を介して上記映像の名称により再生対象の上記映像データが任意に選択された後、当該映像データの再生が選択されたときに上記ローカルエリアネットワークを介して送信された上記再生映像送信要求を受信し、また上記端末装置から上記選択操作手段を介して上記映像の名称により記録対象の上記映像データが任意に選択された後、当該映像データの記録が選択されたときに上記ローカルエリアネットワークを介して送信された上記記録映像送信要求を受信する
請求項７に記載の映像データ提供方法。
【請求項９】
映像データに基づく映像の名称及び当該映像に関する映像情報のリストを送信要求するリスト送信要求を生成するリスト送信要求生成ステップと、
上記リスト送信要求をローカルエリアネットワークを介して、上記映像データを記録再生するサーバ装置に送信するリスト送信要求送信ステップと、
上記サーバ装置から上記リスト送信要求に応じて上記ローカルエリアネットワークを介して送信された上記リストを受信して、表示手段に当該リストに基づき上記映像の名称を一覧表示させると共に、当該一覧表示させた上記映像の名称の中で、再生対象の上記映像データ及び記録対象の上記映像データを任意に選択するために用いられる選択操作手段を介して任意に指示された当該映像の名称に対応する上記映像情報を表示させる表示ステップと、
上記選択操作手段を介して上記映像の名称により再生対象の上記映像データが任意に選択されると、当該選択された再生対象の上記映像データを示し、当該映像データを再生用に送信要求する再生映像送信要求を生成し、また上記選択操作手段を介して上記映像の名称により記録対象の上記映像データが任意に選択されると、当該選択された記録対象の上記映像データを示し、当該映像データを記録用に送信要求する記録映像送信要求を生成する映像送信要求生成ステップと、
上記再生映像送信要求を上記ローカルエリアネットワークを介して上記サーバ装置に送信して、当該サーバ装置から上記再生映像送信要求に応じて上記ローカルエリアネットワークを介して送信された上記映像データを受信しながら上記表示手段に当該映像データに基づく映像をリアルタイムで表示し、また上記記録映像送信要求を上記ローカルエリアネットワークを介して上記サーバ装置に送信して、当該サーバ装置から上記記録映像送信要求に応じて上記ローカルエリアネットワークを介して送信された上記映像データを受信して記録媒体に記録する映像データ受信ステップと、
上記記録媒体から上記映像データを再生して上記表示手段に当該映像データに基づく映像を表示する映像表示ステップと
を具える再生方法。
【請求項１０】
上記映像送信要求生成ステップは、
上記選択操作手段を介して上記映像の名称により再生対象の上記映像データが任意に選択された後、当該映像データの再生が選択されると、上記再生映像送信要求を生成し、また上記選択操作手段を介して上記映像の名称により記録対象の上記映像データが任意に選択された後、当該映像データの記録が選択されると、上記記録映像送信要求を生成する
請求項９に記載の再生方法。
【請求項１１】
コンピュータに
端末装置からローカルネットワークを介して送信された、リストを送信要求するリスト送信要求を受信するリスト送信要求受信ステップと、
上記リスト送信要求の受信に応じて、記録媒体に記録されている映像データに基づく映像の名称及び当該映像に関する映像情報の上記リストを生成して、当該生成した上記リストを上記ローカルエリアネットワークを介して上記端末装置に送信するリスト送信ステップと、
上記端末装置から上記リストに基づき上記映像の名称を一覧表示させると共に、当該一覧表示させた上記映像の名称の中で、再生対象の上記映像データ及び記録対象の上記映像データを任意に選択するために用いられる選択操作手段を介して任意に指示された当該映像の名称に対応する上記映像情報を表示させるようにして、上記選択操作手段を介して上記映像の名称により再生対象の上記映像データが任意に選択されたことに応じて上記ローカルエリアネットワークを介して送信された、上記選択された再生対象の上記映像データを示し、当該映像データを再生用に送信要求する再生映像送信要求を受信し、また上記端末装置から上記選択操作手段を介して上記映像の名称により記録対象の上記映像データが任意に選択されたことに応じて上記ローカルエリアネットワークを介して送信された、上記選択された記録対象の上記映像データを示し、当該映像データを記録用に送信要求する記録映像送信要求を受信する映像送信要求受信ステップと、
上記再生映像送信要求の受信に応じて、上記記録録媒体から上記映像データを再生すると共に、当該再生した上記映像データを上記ローカルエリアネットワークを介して上記端末装置に送信し、また上記記録映像送信要求の受信に応じて、上記記録媒体に記録されている上記映像データを上記ローカルエリアネットワークを介して上記端末装置に送信する映像データ送信ステップと
を実行させるためのプログラムを記録したコンピュータ読取可能な記録媒体。
【請求項１２】
上記映像送信要求受信ステップは、
上記端末装置から上記選択操作手段を介して上記映像の名称により再生対象の上記映像データが任意に選択された後、当該映像データの再生が選択されたときに上記ローカルエリアネットワークを介して送信された上記再生映像送信要求を受信し、また上記端末装置から上記選択操作手段を介して上記映像の名称により記録対象の上記映像データが任意に選択された後、当該映像データの記録が選択されたときに上記ローカルエリアネットワークを介して送信された上記記録映像送信要求を受信する
請求項１１に記載のプログラムを記録したコンピュータ読取可能な記録媒体。
【請求項１３】
コンピュータに
映像データに基づく映像の名称及び当該映像に関する映像情報のリストを送信要求するリスト送信要求を生成するリスト送信要求生成ステップと、
上記リスト送信要求をローカルエリアネットワークを介して、上記映像データを記録再生するサーバ装置に送信するリスト送信要求送信ステップと、
上記サーバ装置から上記リスト送信要求に応じて上記ローカルエリアネットワークを介して送信された上記リストを受信して、表示手段に当該リストに基づき上記映像の名称を一覧表示させると共に、当該一覧表示させた上記映像の名称の中で、再生対象の上記映像データ及び記録対象の上記映像データを任意に選択するために用いられる選択操作手段を介して任意に指示された当該映像の名称に対応する上記映像情報を表示させる表示ステップと、
上記選択操作手段を介して上記映像の名称により再生対象の上記映像データが任意に選択されると、当該選択された再生対象の上記映像データを示し、当該映像データを再生用に送信要求する再生映像送信要求を生成し、また上記選択操作手段を介して上記映像の名称により記録対象の上記映像データが任意に選択されると、当該選択された記録対象の上記映像データを示し、当該映像データを記録用に送信要求する記録映像送信要求を生成する映像送信要求生成ステップと、
上記再生映像送信要求を上記ローカルエリアネットワークを介して上記サーバ装置に送信して、当該サーバ装置から上記再生映像送信要求に応じて上記ローカルエリアネットワークを介して送信された上記映像データを受信しながら上記表示手段に当該映像データに基づく映像をリアルタイムで表示し、また上記記録映像送信要求を上記ローカルエリアネットワークを介して上記サーバ装置に送信して、当該サーバ装置から上記記録映像送信要求に応じて上記ローカルエリアネットワークを介して送信された上記映像データを受信して記録媒体に記録する映像データ受信ステップと、
上記記録媒体から上記映像データを再生して上記表示手段に当該映像データに基づく映像を表示する映像表示ステップと
を実行させるためのプログラムを記録したコンピュータ読取可能な記録媒体。
【請求項１４】
上記映像送信要求生成ステップは、
上記選択操作手段を介して上記映像の名称により再生対象の上記映像データが任意に選択された後、当該映像データの再生が選択されると、上記再生映像送信要求を生成し、また上記選択操作手段を介して上記映像の名称により記録対象の上記映像データが任意に選択された後、当該映像データの記録が選択されると、上記記録映像送信要求を生成する
請求項１３に記載のプログラムを記録したコンピュータ読取可能な記録媒体。
【発明の詳細な説明】
【０００１】
【発明の属する技術分野】
本発明は記録再生システム、サーバ装置、端末装置、映像データ提供方法、再生方法及びコンピュータ読取可能な記録媒体に関し、例えば、家庭内にローカルエリアネットワーク（LAN:Local Area Network）を用いて構築されたホームネットワークシステムに適用して好適なものである。
【０００２】
【従来の技術】
近年、一般の家庭には、テレビジョン受像機と共にビデオテープレコーダが広く普及しており、これに伴いビデオテープレコーダにより所望するテレビジョン番組を録画しておき、そのテレビジョン番組をビデオテープレコーダにより好きなときに再生して視聴するような場合が増えてきている。
【０００３】
【発明が解決しようとする課題】
ところが、各家庭では、リビングルーム等の一室にテレビジョン受像機と共にビデオテープレコーダを据え置いて使用している。
【０００４】
このため、ビデオテープレコーダによって録画しているテレビジョン番組を再生して視聴するには、その都度、テレビジョン受像機と共にビデオテープレコーダを据え置いた部屋に行って操作する必要があり、使い勝手がわるい問題があった。
【０００５】
本発明は以上の点を考慮してなされたもので、使い勝手を向上し得る記録再生システム、サーバ装置、端末装置、映像データ提供方法、再生方法及びコンピュータ読取可能な記録媒体を提案しようとするものである。
【０００６】
【課題を解決するための手段】
かかる課題を解決するため本発明においては、映像データを記録再生するサーバ装置と通信する端末装置が、映像データに基づく映像の名称及び当該映像に関する映像情報のリストを送信要求するリスト送信要求を生成して、当該生成したリスト送信要求をローカルエリアネットワークを介してサーバ装置に送信することにより、サーバ装置からリスト送信要求に応じてローカルエリアネットワークを介して送信されたリストを受信して、表示手段に当該リストに基づき映像の名称を一覧表示させると共に、当該一覧表示させた映像の名称の中で選択操作手段を介して任意に指示された当該映像の名称に対応する映像情報を表示させるようにして、選択操作手段を介して映像の名称により再生対象の映像データが任意に選択されると、当該選択された再生対象の映像データを示し、当該映像データを再生用に送信要求する再生映像送信要求を生成し、また選択操作手段を介して映像の名称により記録対象の映像データが任意に選択されると、当該選択された記録対象の映像データを示し、当該映像データを記録用に送信要求する記録映像送信要求を生成して、その再生映像送信要求をローカルエリアネットワークを介してサーバ装置に送信して、当該サーバ装置から再生映像送信要求に応じてローカルエリアネットワークを介して送信された映像データを受信しながら表示手段に当該映像データに基づく映像をリアルタイムで表示し、また記録映像送信要求をローカルエリアネットワークを介してサーバ装置に送信して、当該サーバ装置から記録映像送信要求に応じてローカルエリアネットワークを介して送信された映像データを受信して記録媒体に記録し、この後、端末側記録媒体から映像データを再生して表示手段に当該映像データに基づく映像を表示するようにした。
【０００７】
従って、サーバ装置を直接操作しなくても、端末装置において再生対象の所望の映像データを的確に選択させ、また記録対象の所望の映像データも的確に選択させたうえで、ローカルエリアネットワークを介してサーバ装置を容易に遠隔操作させて、当該サーバ装置から再生対象の映像データを再生しながらリアルタイムで表示して視聴させ、またサーバ装置から記録対象の映像データを取り込んで一旦記録した後に再生して表示して視聴させることができる。
【０００８】
【発明の実施の形態】
以下図面について、本発明の一実施の形態を詳述する
図１において、１は全体として本発明を適用したホームネットワークシステムを示し、パーソナルコンピュータ構成のサーバ装置２にＬＡＮ（Local Area Network）３を介してノートブック形やデスクトップ形の複数のパーソナルコンピュータ４1 〜４N が接続されて構成されている。
【０００９】
この場合、サーバ装置２は、外部から供給されるテレビジョン放送を取り込むことができるようになされており、当該取り込んだテレビジョン放送の複数のテレビジョン番組のなかから指定されたテレビジョン番組を選択して録画し得ると共に、キーボード又はマウスを介して入力される再生命令に基づいて、録画しているテレビジョン番組を表示部及びスピーカを介して視聴させ得るようになされている。
【００１０】
また、サーバ装置２は、パーソナルコンピュータ４1 〜４N から与えられる再生要求に基づいて、録画しているテレビジョン番組を再生要求元のパーソナルコンピュータ４1 〜４N に送信することにより当該パーソナルコンピュータ４1 〜４N の表示部及びスピーカを介して視聴させ得るようになされている。
【００１１】
図２に示すように、サーバ装置２においては、当該サーバ装置２における各種機能を統括的に制御するＣＰＵ（Central Processing Unit ）１０がＲＡＭ（Random Access Memory）１１と共に、ＣＰＵバス又はメモリバス等から構成されるホストバス１２に接続されており、当該ＣＰＵ１０によってＲＡＭ１１にロードされた各種プログラムやアプリケーションソフトウェアに応じた処理をクロックジェネレータ（図示せず）から与えられるシステムクロックに基づいて所定の動作速度で実行することにより各種機能を実現し得るようになされている。
【００１２】
因みに、ホストバス１２には、ＲＯＭ（Read Only Memory）１３が接続されており、当該ＲＯＭ１３には、ＣＰＵ１０の実行する各種プログラムやアプリケーションソフトウェア、また演算用の各種パラメータのうちの基本的には固定のデータが予め格納されている。
【００１３】
また、ホストバス１２には、ブリッジ１４を介してＰＣＩ（Peripheral Component Interconnect ）バス等の外部バス１５が接続されており、当該外部バス１５には、インターフェイス１６を介してキーボード１７、マウス１８、表示部１９、ＨＤＤ（Hard Disk Drive ）２０、ＦＤＤ（Floppy Disk Drive ）２１及びスピーカ２２が接続されている。
【００１４】
この場合、ＨＤＤ２０のハードディスクには、ＯＳ（Operating System）、ＷＷＷ（World Wide Web）ブラウザ、予約録画設定プログラム、予約監視プログラム、管理検索プログラム、編集プログラム、記録再生プログラム及びこれ以外の各種アプリケーションソフトウェアが記憶されており、起動処理の過程で適時ＲＡＭ１１に転送される。
【００１５】
これにより、ＣＰＵ１０は、ＨＤＤ２０のハードディスク及びＲＯＭ１３からＲＡＭ１１にロードされた各種プログラム及びアプリケーションソフトウェアを立ち上げ、この状態でキーボード１７及びマウス１８を介して入力される各種操作命令に応じてテレビジョン番組の録画や再生等の所定の処理を実行し、得られた実行結果をテキスト等の画像データやテレビジョン番組の映像データとして表示部１９に送出することにより当該表示部１９にテキスト画像やテレビジョン番組の番組映像を表示させることができる。
【００１６】
これに加えて、ＣＰＵ１０は、かかる処理の実行中に適時生成した所定の音声データや、再生したテレビジョン番組の音声データをスピーカ２２に送出することにより当該スピーカ２２から操作命令の取得やエラーの発生等を表す所定の音声や、テレビジョン番組の番組音声を放音させることができる。
【００１７】
因みに、ＣＰＵ１０は、オプション機能を追加するときにはＦＤＤ２１に挿着されたフロッピーディスクからこれに格納されているオプション機能用の各種プログラム等を読み出してＨＤＤ２０又はＲＡＭ１１に転送し、所定の処理の結果得られたデータ等を外部に提供するときには当該データをＦＤＤ２１に送出してフロッピーディスクに記録することができる。
【００１８】
また、外部バス１５には、モデム及びモデム端子を有する通信ボード２３が接続されており、これによりＣＰＵ１０は、ＲＡＭ１１上で立ち上げているＷＷＷブラウザに基づいて、通信ボード２３から公衆回線網及びインターネットを順次介してインターネットサービスプロバイダ（図示せず）と接続し、当該インターネットサービスプロバイダとの間で通信することができる。
【００１９】
さらに、外部バス１５には、画像処理ボード２４が接続されており、当該画像処理ボード２４には、テレビジョン放送を取り込むためのケーブルが接続されると共に、ＬＡＮ３を構築するための所定のケーブルが接続されている。
【００２０】
図３に示すように、画像処理ボード２４は、ＣＰＵ１０の制御のもとに動作するようになされており、外部から供給されるテレビジョン放送の放送信号Ｓ１をチューナ２５に取り込み、当該チューナ２５によりテレビジョン放送の複数チャンネル分のテレビジョン番組のなかから指定されたチャンネルのテレビジョン番組を選択すると共に、その選択したテレビジョン番組のアナログでなる映像音声信号Ｓ２をアナログ／ディジタル変換器２６を介してディジタルでなる映像音声データＤ１に変換してセレクタ２７に送出する。
【００２１】
セレクタ２７は、テレビジョン番組が録画される際には、アナログ／ディジタル変換器２６から与えられる映像音声データＤ１をエンコーダ２８に送出する。
【００２２】
また、セレクタ２７は、テレビジョン番組が通常のテレビジョン受像機のようにリアルタイムで視聴される際には、アナログ／ディジタル変換器２６から与えられる映像音声データＤ１をそのままブリッジ２９を介して外部バス１５に送出することにより、当該映像音声データＤ１を構成する映像データＤ１Ａを表示部１９に送出すると共に、その映像音声データＤ１を構成する音声データＤ１Ｂをスピーカ２２に送出し、かくして、表示部１９及びスピーカ２２を介してテレビジョン番組を視聴させ得るようになされている。
【００２３】
因みに、セレクタ２７は、テレビジョン番組がリアルタイムで視聴されながら録画も同時に行われるときには、アナログ／ディジタル変換器２６から与えられる映像音声データＤ１をエンコーダ２８及びブリッジ２９の双方に送出する。
【００２４】
エンコーダ２８は、セレクタ２７から与えられる映像音声データＤ１をＭＰＥＧ（Moving Picture Experts Group）等の所定の圧縮符号化方式によって圧縮符号化し、得られた圧縮符号化データＤ２をブリッジ２９を介して外部バス１５に送出することにより、当該圧縮復号化データＤ２をＨＤＤ２０のハードディスクに記録し、かくして、テレビジョン番組を録画させ得るようになされている。
【００２５】
また、画像処理ボード２４は、ＣＰＵ１０の再生命令に応じてＨＤＤ２０のハードディスクから再生された圧縮符号化データＤ２を外部バス１５及びブリッジ２９を順次介してデコーダ３０に取り込み、当該デコーダ３０において圧縮符号化データＤ２を圧縮符号化方式に対応する伸張復号化方式によって伸張復号化し、得られた映像音声データＤ３を構成する映像データＤ３Ａをブリッジ２９及び外部バス１５を順次介して表示部１９に送出すると共に、音声データＤ３Ｂをブリッジ２９及び外部バス１５を順次介してスピーカ２２に送出する。
【００２６】
これにより、画像処理ボード２４は、録画しているテレビジョン番組を表示部１９及びスピーカ２２を介して自由に視聴させ得るようになされている。
【００２７】
これに加えて、画像処理ボード２４は、パーソナルコンピュータ４1 〜４N から送信された再生要求等をネットワークインターフェイス３１に取り込み、当該取り込んだ再生要求等をネットワークインターフェイス３１からブリッジ２９及び外部バス１５を順次介してＣＰＵ１０に送出する。
【００２８】
この結果、画像処理ボード２４は、パーソナルコンピュータ４1 〜４N の再生要求に応じてＨＤＤ２０のハードディスクから再生されたテレビジョン番組の圧縮符号化データＤ２等が外部バス１５を介して与えられると、当該圧縮符号化データＤ２等をブリッジ２９を介してネットワークインターフェイス３１に取り込み、当該ネットワークインターフェイス３１から圧縮符号化データＤ２等をパーソナルコンピュータ４1 〜４N に送信する。
【００２９】
これにより、画像処理ボード２４は、パーソナルコンピュータ４1 〜４N を介してテレビジョン番組を視聴させ得るようになされている。
【００３０】
一方、図３との対応部分に同一符号を付して示す図４において、パーソナルコンピュータ４1 〜４N においては、当該パーソナルコンピュータ４1 〜４N における各種機能を統括的に制御するＣＰＵ３５がＲＡＭ１１と共にホストバス１２に接続されている。
【００３１】
また、外部バス１５に接続されているＨＤＤ３６のハードディスクには、ＯＳ、ＷＷＷブラウザ、予約情報設定プログラム、記録再生プログラム、サーバ操作プログラム及びこれ以外の各種アプリケーションソフトウェアが記憶されており、起動処理の過程で適時ＲＡＭ１１に転送される。
【００３２】
これにより、ＣＰＵ３５は、ＨＤＤ３６のハードディスク及びＲＯＭ１３からＲＡＭ１１にロードされた各種プログラム及びアプリケーションソフトウェアに基づいて所定の処理を実行することにより各種機能を実現し得るようになされている。
【００３３】
さらに、外部バス１５にはＬＡＮ３を構築するための所定のケーブルが接続されるネットワークインターフェイス３７が接続されており、これにより、サーバ装置２及び他のパーソナルコンピュータ４1 〜４N との間で所定のデータを授受し得るようになされている。
【００３４】
ここで、図５に示すように、サーバ装置２内のＨＤＤ２０のハードディスクに記憶されたＷＷＷブラウザＰ１、予約録画設定プログラムＰ２、予約監視プログラムＰ３、管理検索プログラムＰ４、編集プログラムＰ５及び記録再生プログラムＰ６は、相互に関連したプログラムである。
【００３５】
ＷＷＷブラウザＰ１は、所定のインターネットサービスプロバイダから予約録画データの生成用に提供されている番組表データを取得するためのプログラムである。
【００３６】
予約録画設定プログラムＰ２は、後述する予約録画設定画面又はＷＷＷブラウザＰ１に従って取得された番組表データ等に基づいて、所望するテレビジョン番組を予約録画するための予約録画データを生成してＨＤＤ２０のハードディスク上で管理すると共に、当該予約録画データを生成したときに、ＨＤＤ２０のハードディスクに対して予約録画対象のテレビジョン番組（実際には圧縮符号化データＤ２となる）の記録領域を確保するためのプログラムである。
【００３７】
また、予約監視プログラムＰ３は、予約録画データによって設定された録画開始時刻及び録画終了時刻を、サーバ装置２内のＲＴＣ（Real Time Clock ）回路（図示せず）から与えられる現在時刻と比較し、当該現在時刻が録画開始時刻及び録画終了時刻に達したか否かを検出するためのプログラムである。
【００３８】
さらに、管理検索プログラムＰ４は、ＨＤＤ２０のハードディスクに記録された予約録画データから予約録画対象のテレビジョン番組に対する予約状況リストを生成すると共に、ＨＤＤ２０に録画されたテレビジョン番組を管理するためのプログラムである。これに加えて、管理検索プログラムＰ４は、予約録画されたテレビジョン番組の映像音声データＤ１及び対応する予約録画データ、また、リアルタイムで録画されたテレビジョン番組の映像音声データＤ１及び録画条件データに基づいて当該テレビジョン番組に対する録画日時や番組情報等からなる付帯情報データを生成してハードディスク上で管理すると共に、その付帯情報データからテレビジョン番組の録画状況を表す録画状況リストを生成するためのプログラムでもある。
【００３９】
さらに、編集プログラムＰ５は、管理検索プログラムＰ４に従って生成された録画状況リスト上で選択指定された１又は複数のテレビジョン番組を所定の状態に編集するためのプログラムである。
【００４０】
さらに、記録再生プログラムＰ６は、画像処理ボード２４に対して図３について上述した録画及び再生用の処理を実行させると共に、ＨＤＤ２０のハードディスクに対する予約録画データ、録画条件データ、テレビジョン番組の圧縮符号化データＤ２及び付帯情報データの記録再生を実行させるためのプログラムである。
【００４１】
因みに、記録再生プログラムＰ６は、予約状況リスト及び録画状況リストの表示が要求されたときに、ＨＤＤ２０のハードディスクから予約録画データ及び付帯情報データの再生を実行させると共に、テレビジョン番組の再生命令や、編集プログラムＰ５に従った編集対象のテレビジョン番組の指定等に応じてＨＤＤ２０のハードディスクからテレビジョン番組の圧縮符号化データＤ２の再生を実行させるものである。
【００４２】
また、予約録画設定プログラムＰ２は、予約監視プログラムＰ３による監視のもとにテレビジョン番組の予約録画が終了した後、付帯情報データを生成すると対応する予約録画データを削除すると共に、管理検索プログラムＰ４に従って生成された予約状況リスト上で予約録画データの削除が指定されたときにその予約録画データを削除するものである。
【００４３】
実際上、サーバ装置２のＣＰＵ１０は、キーボード１７又はマウス１８を介して、放送中のテレビジョン番組の表示命令が入力されると、ＲＡＭ１１上で立ち上げている記録再生プログラムＰ６に従って画像処理ボード２４を制御すると共に、図６に示すように、表示部１９に番組表示画面３９を表示させる。
【００４４】
番組表示画面３９には、番組表示領域４０、録画条件設定領域４１、チャンネル切換ボタン４２及び音声切換ボタン４３、録画ボタン４４、停止ボタン４５、再生ボタン４６及び一時停止ボタン４７が設けられている。
【００４５】
この場合、ＣＰＵ１０は、番組表示領域４０内にチャンネル切換ボタン４２の操作に応じて選択されたテレビジョン番組の映像データＤ１Ａに基づく番組映像を表示させると共に、この状態において、録画ボタン４４がマウス１８によりクリック操作されると、放映中のテレビジョン番組の映像音声データＤ１から生成される圧縮符号化データＤ２をＨＤＤ２０のハードディスクに記録し始める。
【００４６】
そして、ＣＰＵ１０は、テレビジョン番組の録画を開始すると、録画条件設定領域４１内に、録画しているテレビジョン番組の番組名及びチャンネルと、ＲＴＣ回路から得られる現在時刻により検出した録画開始日時及び録画終了日時と、キーボード１７又はマウス１８を介して入力される録画モード、テレビジョン番組の圧縮符号化データＤ２を記録するためのディレクトリを表すキャビネットの情報を表示させ、この後、停止ボタン４５がマウス１８によりクリック操作されると、テレビジョン番組の録画を終了すると共に録画条件設定領域４１内の各種情報を録画条件データとしてＨＤＤ２０のハードディスクに記録する。
【００４７】
因みに、録画モードとしては、例えば、ＭＰＥＧ２等の圧縮符号化方式を用いる「高画質モード」、「標準モード」及びＭＰＥＧ１等の圧縮符号化方式を用いる「ビデオＣＤ（Compact Disc）互換モード」の３つのモードがあり、これら３つのモードのうちから所望するものが選択される。
【００４８】
また、キャビネットは、特に指定がなければ、予め設定されている例えば「一時保管」と呼ばれる名称となり、予約録画対象のテレビジョン番組に対して例えばニュースやスポーツ、ドラマ、映画のようなカテゴリ毎のディレクトリが作成されている場合には、これらカテゴリの名称をキャビネットとして選択することができる。
【００４９】
また、ＣＰＵ１０は、キーボード１７又はマウス１８を介して予約録画を設定するための設定命令が入力されると、ＲＡＭ１１上で立ち上げている予約録画設定プログラムＰ２に従って、図７〜図９に示すように、表示部１９に例えば３ページ構成のウィンドウ画面からなる第１〜第３予約録画設定画面５０〜５２のうちの第１の予約録画設定画面５０を表示させる。
【００５０】
第１の予約録画設定画面５０には、チャンネル設定部５５、番組名入力部５６、録画日設定部５７及び録画開始時刻設定部５８が設けられている。
【００５１】
この場合、ＣＰＵ１０は、第１の予約録画設定画面５０上でチャンネル設定部５５、番組名入力部５６、録画日設定部５７及び録画開始時刻設定部５８に対してキーボード１７により設定情報が入力され、又はチャンネル設定部５５、録画日設定部５７及び録画開始時刻設定部５８のそれぞれ右側に設けられた選定ボタン５５Ａ、５７Ａ、５８Ａがマウス１８によりクリック操作されると、これに応じてチャンネル設定部５５に予約録画対象のテレビジョン番組を放映するチャンネルを表示させると共に、番組名入力部５６に予約録画対象のテレビジョン番組の番組名を表示させ、録画日設定部５７に録画日を表示させると共に、録画開始時刻設定部５８に録画開始時刻を分単位で表示させる。
【００５２】
また、第１の予約録画設定画面５０には、ヘルプボタン５９及び設定を取り消すキャンセルボタン６０と共に、例えば「次へ」と表示した次ページボタン６１が設けられており、ＣＰＵ１０は、マウス１８により次ページボタン６１がクリック操作されると、表示部１９に第１の予約録画設定画面５０に代えて第２の予約録画設定画面５１を表示させる。
【００５３】
第２の予約録画設定画面５１には、録画終了時刻設定部６２、録画モード設定部６３、予約録画の形態設定部６４、キャビネット設定部６５及びディスク使用状況表示部６６が設けられている。
【００５４】
従って、ＣＰＵ１０は、第２の予約録画設定画面５１上で録画終了時刻設定部６２、録画モード設定部６３、予約録画の形態設定部６４及びキャビネット設定部６５に対してキーボード１７により設定情報が入力され、又は録画終了時刻設定部６２、録画モード設定部６３、予約録画の形態設定部６４及びキャビネット設定部６５のそれぞれ右側に設けられた選定ボタン６２Ａ、６３Ａ、６４Ａ及び６５Ａがマウス１８によりクリック操作されると、これに応じて録画終了時刻設定部６２に録画終了時刻を分単位で表示させると共に、録画モード設定部６３に「高画質モード」、「標準モード」及び「ビデオＣＤ互換モード」のうちの選択されたいずれかを表示させ、予約録画の形態設定部６４に、１回のみの予約録画か、又は指定した回数分の定期的な予約録画かを表す予約録画の回数を表示させると共に、キャビネット設定部６５に、選択されたキャビネット名を表示させる。
【００５５】
因みに、キャビネット設定部６５には、特に指定がなければ、キャビネット名として「一時保管」が表示され、ニュースやスポーツ、ドラマ、映画等のカテゴリでなるキャビネットが選択されたときには一時保管と共にその選択されたキャビネット名（カテゴリ名）が横一列に並べて表示される。
【００５６】
そして、ＣＰＵ１０は、第２の予約録画設定画面５１上で録画終了時刻、録画モード、予約録画の形態及びキャビネットの設定内容を表示させると、ディスク使用状況表示部６６内に、録画開始時刻及び録画終了時刻から得られる録画に要する録画時間と、予約録画対象のテレビジョン番組のデータ量（すなわち、圧縮符号化データＤ２のデータ量）に応じてハードディスクに確保する記録領域の使用量と、当該テレビジョン番組を録画した後にハードディスクに残る空き容量とを表示させる。
【００５７】
また、第２の予約録画設定画面５１には、ヘルプボタン６７、キャンセルボタン６８及び第１の予約録画設定画面５０に戻る前ページボタン６９と共に、次ページボタン７０が設けられており、ＣＰＵ１０は、マウス１８により次ページボタン７０がクリック操作されると、表示部１９に第２の予約録画設定画面５１に代えて第３の予約録画設定画面５２を表示させる。
【００５８】
第３の予約録画設定画面５２には、設定内容確認領域７１が設けられており、ＣＰＵ１０は、設定内容確認領域７１内に第１及び第２の予約録画設定画面５０及び５１上で設定した内容を表示させて確認を促すことができる。
【００５９】
また、第３の予約録画設定画面５２には、メモボタン７２が設けられており、ＣＰＵ１０は、そのメモボタン７２がマウス１８によりクリック操作されると、予約録画対象のテレビジョン番組に対するコメントを入力可能な状態にし、これにより、キーボード１７を介して入力される番組内容や出演する役者の名前等の自由なコメントを予約録画の設定内容の一部として第３の予約録画設定画面５２内に表示させる。
【００６０】
そして、第３の予約録画設定画面５２には、ヘルプボタン７３、キャンセルボタン７４及び第２の予約録画設定画面５１に戻る前ページボタン７５と共に完了ボタン７６が設けられており、ＣＰＵ１０は、マウス１８により完了ボタン７６がクリック操作されると、第３の予約録画設定画面５２内に表示させている予約録画の設定内容を確定し、当該確定した設定内容に基づいて予約録画データを生成してＨＤＤ２０のハードディスクに予約録画するテレビジョン番組の記録領域を確保すると共に、当該生成した予約録画データを記録再生プログラムＰ６に従ってＨＤＤ２０のハードディスクに記録する。
【００６１】
これにより、ＣＰＵ１０は、この後、予約監視プログラムＰ３に従って、予約録画データの示す録画開始時刻を待ち受け、当該録画開始時刻になると、記録再生プログラムＰ６に従ってその予約録画データに基づいて選定されている予約録画対象のテレビジョン番組を録画する。
【００６２】
因みに、ＣＰＵ１０は、ＷＷＷブラウザＰ１に従って、予約録画データの生成用にインターネットサービスプロバイダから番組表データを取得したときには、図１０に示すように、表示部１９に番組表データに基づく番組表画面７７を表示させる。
【００６３】
番組表画面７７には、例えば１日における複数チャンネル分の番組表７８を表示させる番組表表示領域７９が設けられると共に、当該番組表表示領域７９内の番組表７８をスクロールさせるスクロールバー８０及び８１が設けられ、さらに、番組表７８をスクロールバー８０及び８１によってスクロールさせる直前の表示状態に戻す戻りボタン８２が設けられている。
【００６４】
また、番組表画面７７には、番組表７８内に各テレビジョン番組に対応させて例えば「Ｒ」で示す選択ボタン８３が設けられており、ＣＰＵ１０は、各選択ボタン８３のうちのいずれかがマウス１８によるクリック操作で選択されると、当該選択された選択ボタン８３に対応するテレビジョン番組の放映開始時刻（録画開始時刻に対応する）、放映終了時刻（録画終了時刻に対応する）、番組名及びチャンネル等の情報を番組表データから取り込む。
【００６５】
そして、ＣＰＵ１０は、このように番組表データから取り込んだテレビジョン番組の放映開始時刻、放映終了時刻、番組名及びチャンネル等の情報を盛り込んで第１〜第３の予約録画設定画面５０〜５２を順次表示部１９に表示させることにより、さらに予約録画データの生成に必要な録画モード、予約録画の形態及びキャビネットを設定させると共に、コメントを入力させる。
【００６６】
かくして、ＣＰＵ１０は、番組表データを用いることにより予約録画の設定内容のほとんどを容易にかつ適確に設定させて予約録画データを生成することができる。
【００６７】
ここで、図１１に示すように、ＣＰＵ１０は、テレビジョン番組を録画すると、ＲＡＭ１１上で立ち上げている管理検索プログラムＰ４に従って、当該テレビジョン番組の映像音声データＤ１からテレビジョン番組中のシーンが切り換わる毎の先頭の１フレーム分の静止画像データと、そのシーンの先頭のタイムコードでなる切換位置データとをテレビジョン番組に対するインデックス情報として抽出すると共に、対応する録画条件データ又は予約録画データからテレビジョン番組の番組名、録画日時、録画時間、チャンネル、録画モード及びコメント等の設定内容を録画番組情報として抽出する。
【００６８】
また、ＣＰＵ１０は、その抽出したインデックス情報及び録画番組情報に、テレビジョン番組を最後に再生した日時を表す前回再生日時及びその再生時の再生終了位置を表す前回再生終了位置からなりテレビジョン番組を再生する毎に更新する更新情報を加えて付帯情報データを生成する。因みに、録画番組情報には、付帯情報データの作成日時も含まれている。
【００６９】
そして、ＣＰＵ１０は、このように付帯情報データを生成すると、ＲＡＭ１１上で立ち上げている記録再生プログラムＰ６に従って、当該付帯情報データをテレビジョン番組の圧縮符号化データＤ２と対応付けてＨＤＤ２０のハードディスクに記録し、個々のテレビジョン番組毎に対応付けした圧縮符号化データＤ２及び付帯情報データ（以下、これをビデオカプセルと呼ぶ）をＲＡＭ１１上で立ち上げている管理検索プログラムＰ４に従って管理する。
【００７０】
ところで、ＣＰＵ１０は、テレビジョン番組を録画した後、キーボード１７又はマウス１８を介して図６について上述した番組表示画面３９の表示命令が与えられると、ＲＡＭ１１上で立ち上げている記録再生プログラムＰ６に従って表示部１９に番組表示画面３９を表示させ、この状態で番組表示画面３９上の再生ボタン４６、停止ボタン４５及び一時停止ボタン４７がマウス１８によりクリック操作されると、そのクリック操作に応じて番組表示領域４０内に再生したテレビジョン番組の番組映像を表示させる。
【００７１】
因みに、ＣＰＵ１０は、テレビジョン番組の再生時には、例えば、録画条件設定領域４１内に付帯情報データに基づいて生成した、録画しているテレビジョン番組のリストを表示させ、当該リストから所望するテレビジョン番組を選択させ得るようになされている。
【００７２】
一方、図１２に示すように、パーソナルコンピュータ４1 〜４N 内のＨＤＤ３６のハードディスクに記憶されたＷＷＷブラウザＰ１、予約情報設定プログラムＰ７、記録再生プログラムＰ８及びサーバ操作プログラムＰ９は、相互に関連したプログラムであり、当該ＷＷＷブラウザＰ１は、サーバ装置２内のＷＷＷブラウザＰ１と同様のプログラムである。
【００７３】
また、予約情報設定プログラムＰ７は、テレビジョン番組の予約録画に必要な予約情報を設定するためのプログラムである。
【００７４】
さらに、記録再生プログラムＰ８は、ＨＤＤ３６のハードディスクに対して、サーバ装置２から送信されるテレビジョン番組の圧縮符号化データＤ２及び付帯情報データ（ビデオカプセル）と、予約情報設定プログラムＰ７に従って生成された予約情報のデータ（以下、これを予約情報データと呼ぶ）とを記録再生すると共に、テレビジョン番組の圧縮符号化データＤ２を対応する伸張復号化方式によって伸張復号化するためのプログラムである。
【００７５】
さらに、サーバ操作プログラムＰ９は、サーバ装置２との間で、テレビジョン番組の圧縮符号化データＤ２等の各種データの授受を実行するためのプログラムである。
【００７６】
ここで、パーソナルコンピュータ４1 〜４N のＣＰＵ３５は、ＲＡＭ１１上で立ち上げている予約情報設定プログラムＰ７に従って、表示部１９に図７〜図１０について上述した第１〜第３予約録画設定画面５０〜５２及び番組表画面７７を順次表示させてサーバ装置２のＣＰＵ１０と同様に各種設定情報を入力させることにより、その表示部１９に最終的に表示させた第３の予約録画設定画面５２の設定内容確認領域７１内に表示させた予約録画の設定情報をテレビジョン番組の予約録画に必要な予約情報データとしてＨＤＤ３６のハードディスクに記録する。
【００７７】
このようにして、ＣＰＵ３５は、テレビジョン番組の予約に必要な予約情報データを独自に生成してＨＤＤ３６のハードディスクに蓄えることができる。
【００７８】
また、ＣＰＵ３５は、キーボード１７又はマウス１８を介してサーバ装置２に対する操作画面の表示命令が入力されると、図１３に示すように、ＲＡＭ１１上で立ち上げているサーバ操作プログラムＰ９に従って、表示部１９にサーバ操作画面８５を表示させる。
【００７９】
サーバ操作画面８５には、自己のパーソナルコンピュータ４1 〜４N 用のマイコンピュータ操作部８６が設けられ、当該マイコンピュータ操作部８６内には、再生操作モードを選択する再生操作選択ボタン８７、録画予約操作モードを選択する録画予約操作選択ボタン８８、キャビネット表示領域８９、ビデオカプセル名表示領域９０、情報表示領域９１、送信ボタン９２、継続再生指定ボタン９３、新規再生指定ボタン９４、削除ボタン９５及び情報更新ボタン９６が設けられている。
【００８０】
ここで、ＣＰＵ３５は、録画予約操作選択ボタン８８がマウス１８によりクリック操作されると録画予約操作モードとなり、これに応じてＨＤＤ３６のハードディスクから例えば、「一時保管」のキャビネット名で管理している全ての予約情報データを再生し、当該再生した予約情報データに基づいてビデオカプセル名表示領域９０内に、指定されている予約録画対象のテレビジョン番組の全ての番組名を一覧表示させると共に、その一覧表示させた番組名のうちの最も上に位置する番組名に対応する予約情報を情報表示領域９１に表示させる。
【００８１】
そして、ＣＰＵ３５は、ビデオカプセル名表示領域９０に一覧表示させた番組名のうちの所望する番組名の上にマウス１８の操作によりマウスカーソル（図示せず）が移動すると、その番組名に対応する予約情報データの内容を情報表示領域９１に切換表示させる。
【００８２】
また、ＣＰＵ３５は、キャビネット表示領域８９の右側に設けられた選択ボタン８９Ａがマウス１８によりクリック操作されると、複数のキャビネット名からなるプルダウンメニュー（図示せず）を表示させ、当該プルダウンメニューからマウス１８によるクリック操作で所望するキャビネット名が選択されると、ＨＤＤ３６のハードディスクからその選択されたキャビネット名で管理している全ての予約情報データを再生して同様にビデオカプセル名表示領域９０に番組名を一覧表示させると共に、情報表示領域９１に予約情報を表示させる。
【００８３】
因みに、ＣＰＵ３５は、ビデオカプセル名表示領域９０に一覧表示させている番組名のうちのいずれかがマウス１８によるクリック操作で選択され、引き続き削除ボタン９５がマウス１８によりクリック操作されると、その選択された番組名に対応する予約情報データを削除することができる。
【００８４】
このようにして、ＣＰＵ３５は、サーバ操作画面８５内のマイコンピュータ操作部８６により予約録画対象のテレビジョン番組に対する予約情報データの内容を順次確認させ得ると共に、必要に応じて予約情報データを削除し得るようになされている。
【００８５】
ここで、サーバ操作画面８５内の下側には、キャンセルボタン９７及びヘルプボタン９８と共に、サーバ装置２との間で通信状態を確保する接続ボタン９９と、当該サーバ装置２との間の通信状態を解除する接続解除ボタン１００とが設けられており、ＣＰＵ３５は、サーバ操作画面８５内で接続ボタン９９がマウス１８によりクリック操作されると、サーバ装置２との間の通信状態を確保すると共に、図１４に示すように、サーバ操作画面８５内のマイコンピュータ操作部８６の後側にサーバ装置２用のサーバ装置操作部１０１を重ねて表示させる。
【００８６】
このようにして、ＣＰＵ３５は、サーバ装置２との間で通信状態を確保した状態で、ビデオカプセル名表示領域９０に一覧表示させている番組名のうちのいずれかがマウス１８によるクリック操作で選択され、引き続き送信ボタン９２がマウス１８によりクリック操作されると、その選択された番組名に対応する予約情報データをＬＡＮ３を介してサーバ装置２に送信する。
【００８７】
これにより、サーバ装置２において、ＣＰＵ１０は、パーソナルコンピュータ４1 〜４N から送信された予約情報データに基づいて予約録画データを生成すると共に、ＨＤＤ２０のハードディスクにその予約録画データで指定されている予約録画対象のテレビジョン番組に対する記録領域を確保することができる。
【００８８】
因みに、サーバ装置２のＣＰＵ１０は、パーソナルコンピュータ４1 〜４N から送信された予約情報データに基づいて予約録画データを生成しても、ＨＤＤ２０のハードディスクの容量が不足しているために、その予約録画データによって予約録画するテレビジョン番組の記録領域を確保し難いときには、エラーメッセージを予約情報データの送信元であるパーソナルコンピュータ４1 〜４N に送信して予約録画を設定することができないことを通知する。
【００８９】
かくして、パーソナルコンピュータ４1 〜４N は、サーバ装置２に対してテレビジョン番組の予約録画を容易にかつ適確に設定することができる。
【００９０】
そして、パーソナルコンピュータ４1 〜４N のＣＰＵ３５は、サーバ操作画面８５内でマイコンピュータ操作部８６の後側に隠れているものの、当該マイコンピュータ操作部８６の上端部の選択ボタン８６Ａと並んで見えているサーバ装置操作部１０１の上端部の選択ボタン１０１Ａがマウス１８によりクリック操作されると、図１５に示すように、サーバ操作画面８５内でマイコンピュータ操作部８６の前側にサーバ装置操作部１０１を重ねて表示させる。
【００９１】
この場合、サーバ装置操作部１０１には、マイコンピュータ操作部８６と同様に再生操作モードを選択する再生操作選択ボタン１０２、録画予約操作モードを選択する録画予約操作選択ボタン１０３、キャビネット表示領域１０４、ビデオカプセル名表示領域１０５、情報表示領域１０６、送信ボタン１０７、継続再生指定ボタン１０８、新規再生指定ボタン１０９、削除ボタン１１０及び情報更新ボタン１１１が設けられている。
【００９２】
ここで、ＣＰＵ３５は、録画予約操作選択ボタン１０３がマウス１８によりクリック操作されると録画予約再生モードとなり、引き続きキャビネット表示領域１０４の右側に設けられた選択ボタン１０４Ａがマウス１８によりクリック操作されると、複数のキャビネット名からなるプルダウンメニュー（図示せず）を表示させ、この状態でプルダウンメニューからマウス１８によるクリック操作で所望するキャビネット名が選択されると、当該キャビネット表示領域１０４内にその選択されたキャビネット名を表示させる。
【００９３】
この状態で、ＣＰＵ３５は、サーバ装置操作部１０１内の送信ボタン１０７がマウス１８によりクリック操作されると、その選択されたキャビネット名に応じた予約状況リストの送信要求をＬＡＮ３を介してサーバ装置２に送信する。
【００９４】
サーバ装置２のＣＰＵ１０は、パーソナルコンピュータ４1 〜４N から予約状況リストの送信要求が与えられると、ＨＤＤ２０のハードディスク内でその選択されたキャビネット名で管理している全ての予約録画データからなる予約状況リストをＬＡＮ３を介して送信要求元のパーソナルコンピュータ４1 〜４N に送信する。
【００９５】
これにより、パーソナルコンピュータ４1 〜４N のＣＰＵ３５は、サーバ装置２から送信された予約状況リストを取得すると、予約状況リストに基づいてサーバ装置操作部１０１のビデオカプセル名表示領域１０５にその予約状況リストで指定されている全ての番組名を一覧表示させると共に、情報表示領域１０６に、その一覧表示させた番組名のうちの最も上に位置する番組名に対応する予約録画の設定情報を表示させる。
【００９６】
そして、ＣＰＵ３５は、ビデオカプセル名表示領域１０５に一覧表示させた番組名のうちの所望する番組名の上にマウス１８の操作によりマウスカーソル（図示せず）が移動すると、その番組名に対応する予約録画の設定情報を情報表示領域１０６に切換表示させる。
【００９７】
このようにして、パーソナルコンピュータ４1 〜４N のＣＰＵ３５は、サーバ装置２で録画の予約されているテレビジョン番組の予約状況を確認させ得るようになされている。
【００９８】
また、ＣＰＵ３５は、ビデオカプセル名表示領域１０５内でいずれかの番組名がマウス１８によるクリック操作で選択され、引き続き削除ボタン１１０がマウス１８によりクリック操作されると、その選択された番組名と共に対応する予約録画の設定情報をビデオカプセル名表示領域１０５及び情報表示領域１０６内から削除すると共に、その削除の指定された番組名に対応する予約録画データの削除要求をＬＡＮ３を介してサーバ装置２に送信し、かくして、サーバ装置２に削除の指定された予約録画データを削除させることができる。
【００９９】
因みに、サーバ装置２は、複数のパーソナルコンピュータ４1 〜４N との間で同時に通信状態を確保することができるため、いずれかのパーソナルコンピュータ４1 〜４N がサーバ装置２から予約状況リストを取得してから当該サーバ装置２に予約録画データの送信要求や予約録画データの削除要求を送信するまでの間に、例えば他のパーソナルコンピュータ４1 〜４N からサーバ装置２にその予約録画データに対する削除要求が送信される等して削除されている場合がある。
【０１００】
この場合、サーバ装置２のＣＰＵ１０は、予約録画データの送信要求や予約録画データの削除要求を送信したパーソナルコンピュータ４1 〜４N にその予約録画データを送信することができないことを表すエラーメッセージを送信する。
【０１０１】
これにより、サーバ装置２からエラーメッセージを受け取ったパーソナルコンピュータ４1 〜４N のＣＰＵ３５は、例えばサーバ操作画面８５において、サーバ装置操作部１０１の情報表示領域１０６にエラーメッセージを表示させると共に、当該エラーメッセージに基づいてスピーカ２２からエラーを表す所定の音声を放音させて予約録画データを取得することができないことを報知する。
【０１０２】
そして、パーソナルコンピュータ４1 〜４N のＣＰＵ３５は、このような場合、情報更新ボタン１１１がマウス１８によりクリック操作されると、これに応じて再び予約状況リストの送信要求をＬＡＮ３を介してサーバ装置２に送信し、かくして、サーバ装置２から最新の予約状況リストを取得してサーバ操作画面８５のサーバ装置操作部１０１内に更新表示させることができる。
【０１０３】
一方、パーソナルコンピュータ４1 〜４N のＣＰＵ３５は、図１６に示すように、サーバ操作画面８５において、マイコンピュータ操作部８６の前側にサーバ装置操作部１０１を重ねて表示させた状態で、再生操作選択ボタン１０２がマウス１８によりクリック操作されると再生操作モードに移り、引き続きキャビネット表示領域１０４の右側に設けられた選択ボタン１０４Ａがマウス１８によりクリック操作されると、複数のキャビネット名からなるプルダウンメニュー（図示せず）を表示させ、この状態でプルダウンメニューからマウス１８によるクリック操作で所望するキャビネット名が選択されると、当該キャビネット表示領域１０４内にその選択されたキャビネット名を表示させる。
【０１０４】
この状態で、ＣＰＵ３５は、サーバ装置操作部１０１内の送信ボタン１０７がマウス１８によりクリック操作されると、その選択されたキャビネット名に応じた録画状況リストの送信要求をＬＡＮ３を介してサーバ装置２に送信する。
【０１０５】
サーバ装置２のＣＰＵ１０は、パーソナルコンピュータ４1 〜４N から録画状況リストの送信要求が与えられると、ＨＤＤ２０のハードディスク内でその選択されたキャビネット名で管理している全ての付帯情報データからなる録画状況リストをＬＡＮ３を介して送信要求元のパーソナルコンピュータ４1 〜４N に送信する。
【０１０６】
これにより、パーソナルコンピュータ４1 〜４N のＣＰＵ３５は、サーバ装置２から送信された録画状況リストを取得すると、当該録画状況リストに基づいてサーバ装置操作部１０１のビデオカプセル名表示領域１０５にその録画状況リストで指定されている全ての番組名を一覧表示させると共に、情報表示領域１０６に、その一覧表示させた番組名のうちの最も上に位置する番組名に対応する付帯情報データの録画番組情報及び更新情報を表示させる。
【０１０７】
そして、ＣＰＵ３５は、ビデオカプセル名表示領域１０５に一覧表示させた番組名のうちの所望する番組名の上にマウス１８の操作によりマウスカーソル（図示せず）が移動すると、その番組名に対応する付帯情報データの録画番組情報及び更新情報を情報表示領域１０６に切換表示させる。
【０１０８】
このようにして、パーソナルコンピュータ４1 〜４N のＣＰＵ３５は、サーバ装置２で録画しているテレビジョン番組の録画状況を確認させ得るようになされている。
【０１０９】
また、ＣＰＵ３５は、ビデオカプセル名表示領域１０５内でいずれかの番組名がマウス１８によるクリック操作で選択され、引き続き送信ボタン１０７がマウス１８によりクリック操作されると、その選択された番組名に対応するビデオカプセルの送信要求をＬＡＮ３を介してサーバ装置２に送信する。
【０１１０】
サーバ装置２のＣＰＵ１０は、パーソナルコンピュータ４1 〜４N から送信されたビデオカプセルの送信要求に応じてＨＤＤ２０のハードディスクから対応するビデオカプセル（圧縮符号化データＤ２及び付帯情報データ）を再生し、これをＬＡＮ３を介して送信要求元のパーソナルコンピュータ４1 〜４N に送信する。
【０１１１】
これにより、パーソナルコンピュータ４1 〜４N のＣＰＵ３５は、かかる送信要求に応じてサーバ装置２から送信されたビデオカプセルを取得すると、これをＨＤＤ３６のハードディスクに記録する。
【０１１２】
さらに、パーソナルコンピュータ４1 〜４N のＣＰＵ３５は、ビデオカプセル名表示領域１０５内でいずれかの番組名がマウス１８によるクリック操作で選択され、引き続き削除ボタン１１０がマウス１８によりクリック操作されると、その選択された番組名と共に対応する付帯情報データの録画番組情報及び更新情報をビデオカプセル名表示領域１０５及び情報表示領域１０６内から削除すると共に、その削除の指定された番組名に対応するビデオカプセルの削除要求をＬＡＮ３を介してサーバ装置２に送信し、かくして、サーバ装置２に削除の指定されたビデオカプセルを削除させることができる。
【０１１３】
因みに、パーソナルコンピュータ４1 〜４N のＣＰＵ３５は、サーバ装置２にビデオカプセルの送信要求やビデオカプセルの削除要求を送信したときに、そのビデオカプセルが例えば他のパーソナルコンピュータ４1 〜４N からの削除要求等ですでに削除されている場合には、図１５について上述した予約録画データの送信要求及び削除要求をサーバ装置２に送信した場合と同様に、当該サーバ装置２から受け取ったエラーメッセージを例えばサーバ操作画面８５内の情報表示領域１０６に表示させると共に、当該エラーメッセージに基づく所定の音声をスピーカ２２から放音させて報知する。
【０１１４】
また、ＣＰＵ３５は、この際、情報更新ボタン１１１がマウス１８によりクリック操作されると、これに応じて再び録画状況リストの送信要求をＬＡＮ３を介してサーバ装置２に送信することにより、当該サーバ装置２から送信される最新の録画状況リストを取得してサーバ操作画面８５のサーバ装置操作部１０１内に更新表示させる。
【０１１５】
そして、パーソナルコンピュータ４1 〜４N のＣＰＵ３５は、サーバ装置操作部１０１のビデオカプセル名表示領域１０５内でいずれかの番組名がマウス１８によるクリック操作で選択され、引き続き新規再生指定ボタン１０９がマウス１８によりクリック操作されると、図１７に示すように、表示部１９にサーバ操作画面８５に代えて再生操作画面１２０を表示させる。
【０１１６】
再生操作画面１２０には、番組表示領域１２１、情報表示領域１２２、再生ボタン１２３、一時停止ボタン１２４、停止ボタン１２５、インデックス表示領域１２６及びスライダ１２７が設けられている。
【０１１７】
この場合、ＣＰＵ３５は、情報表示領域１２２内に、先のサーバ操作画面８５で選択された番組名に対応する付帯情報データの録画番組情報を表示させ、この状態で再生ボタン１２３がマウス１８によりクリック操作されると、これに応じてその対応するビデオカプセルの先頭からの再生要求をＬＡＮ３を介してサーバ装置２に送信する。
【０１１８】
サーバ装置２のＣＰＵ１０は、パーソナルコンピュータ４1 〜４N から送信された再生要求に応じてＨＤＤ２０のハードディスクから対応するビデオカプセルの圧縮符号化データＤ２をその先頭から順次再生して再生要求元のパーソナルコンピュータ４1 〜４N にＬＡＮ３を介して送信すると共に、当該ＨＤＤ２０のハードディスクから対応するビデオカプセルの付帯情報データを再生してこれも再生要求元のパーソナルコンピュータ４1 〜４N にＬＡＮ３を介して送信する。
【０１１９】
これにより、再生要求元のパーソナルコンピュータ４1 〜４N のＣＰＵ３５は、サーバ装置２から送信された圧縮符号化データＤ２をその先頭から順次伸張復号化し、得られた映像データＤ３Ａを表示部１９に送出することにより再生操作画面１２０の番組表示領域１２１にサーバ装置２で再生されたテレビジョン番組の番組映像をその先頭からリアルタイムで表示させると共に、当該圧縮符号化データＤ２をその先頭から順次伸張復号化して得られる音声データＤ３Ｂをスピーカ２２に送出することにより当該スピーカ２２からサーバ装置で再生されたテレビジョン番組の番組音声を番組映像に合わせて放音させることができる。
【０１２０】
また、ＣＰＵ３５は、このとき、付帯情報データのインデックス情報を表示部１９に送出することにより再生操作画面１２０のインデックス表示領域１２６にテレビジョン番組の再生に合わせてシーンが切り換わる毎の静止画像を時間軸に沿ってフィルムのように所定数ずつ並べて順次表示させる。
【０１２１】
そして、ＣＰＵ３５は、再生操作画面１２０において、スライダ１２７の摘まみ１２７Ａをマウス１８によるドラッグ操作でスライダ１２７の長手方向に沿って移動させると、これに応じてインデックス表示領域１２６内の静止画像を時間軸に沿って進めて又は戻して表示させることができ、このようにして、いずれかの静止画像上にマウスカーソルが合わせられてマウス１８がダブルクリック操作されると、そのダブルクリック操作された静止画像の切換位置データに応じた再生要求をＬＡＮ３を介してサーバ装置２に送信する。
【０１２２】
サーバ装置２のＣＰＵ１０は、パーソナルコンピュータ４1 〜４N から送信された再生要求に応じて、ＨＤＤ２０のハードディスクから再生している圧縮符号化データＤ２を再生要求で指定された切換位置データが示す位置から順次再生し直して再生要求元のパーソナルコンピュータ４1 〜４N にＬＡＮ３を介して送信する。
【０１２３】
これにより、再生要求元のパーソナルコンピュータ４1 〜４N のＣＰＵ３５は、サーバ装置２から送信された圧縮符号化データＤ２を順次伸張復号化し、得られた映像データＤ３Ａを表示部１９に送出することにより再生操作画面１２０の番組表示領域１２１にそれまで表示させていた先頭からの番組映像をダブルクリック操作された静止画像が示すシーンの先頭からの番組映像に切り換えて表示させると共に、当該圧縮符号化データＤ２を順次伸張復号化して得られる音声データＤ３Ｂをスピーカ２２に送出することにより当該スピーカ２２からシーンの切り換わりからの番組映像に合わせた番組音声を放音させる。
【０１２４】
因みに、ＣＰＵ３５は、スライダ１２７に代えて、インデックス表示領域１２６内の静止画像を直接ドラッグ操作させて時間軸に沿って進めて又は戻して表示させることができると共に、再生ボタン１２３、一時停止ボタン１２４、停止ボタン１２５がそれぞれマウス１８によりクリック操作されると、当該クリック操作されたボタンに応じた操作命令をサーバ装置２に送信してテレビジョン番組の再生を制御することにより、映像表示領域１２１にそのボタンに応じて番組映像を表示させることができると共に、スピーカ２２にその番組映像に合わせて番組音声を放音させることができる。
【０１２５】
かくして、パーソナルコンピュータ４1 〜４N は、あたかも内部のＨＤＤ３６から再生させたテレビジョン番組を表示部１９及びスピーカ２２を介してリアルタイムで視聴させているように、サーバ装置２で再生されたテレビジョン番組をリアルタイムで表示部１９及びスピーカ２２を介して視聴させ得るようになされている。
【０１２６】
また、サーバ装置２のＣＰＵ１０は、パーソナルコンピュータ４1 〜４N の要求に応じてテレビジョン番組を再生したり、その再生で番組終了前に停止が指定されると、対応するビデオカプセルの付帯情報データに対して更新情報の前回再生日時及び前回再生終了位置を更新する。
【０１２７】
従って、パーソナルコンピュータ４1 〜４N のＣＰＵ３５は、録画後一度も再生されていないテレビジョン番組や、前回番組の終了時点まで再生しているテレビジョン番組が再生対象として選択されたときには、付帯情報データに基づいて、図１６について上述したサーバ操作画面８５内の新規再生指定ボタン１０９をマウス１８により選択指定可能な状態にし、継続再生指定ボタン１０８を反転表示させる等して選択指定できないようにする。
【０１２８】
これに対して、ＣＰＵ３５は、前回途中まで再生されているテレビジョン番組が再生対象として選択されたときには、付帯情報データに基づいて、新規再生指定ボタン１０９に共に継続再生指定ボタン１０８もマウス１８により選択指定可能な状態にする。
【０１２９】
そして、ＣＰＵ３５は、その継続再生指定ボタン１０８がマウス１８によりクリック操作されると、付帯情報データ内の前回再生終了位置に応じた再生要求をＬＡＮ３を介してサーバ装置２に送信する。
【０１３０】
この場合、サーバ装置２は、ＨＤＤ２０のハードディスクからその再生要求に応じてテレビジョン番組の圧縮符号化データＤ２を前回再生が終了した時点から引き続き再生して再生要求元のパーソナルコンピュータ４1 〜４N に送信することにより、当該パーソナルコンピュータ４1 〜４N において、図１７について上述した再生操作画面１２０で前回に続く位置から番組映像を表示させる。
【０１３１】
これにより、パーソナルコンピュータ４1 〜４N のＣＰＵ３５は、あたかも先頭まで巻き戻していないビデオテープからテレビジョン番組を再生しているように、サーバ装置２からテレビジョン番組を先頭又は途中から再生してこれをリアルタイムで視聴させ得るようになされている。
【０１３２】
また、パーソナルコンピュータ４1 〜４N のＣＰＵ３５は、図１８に示すように、サーバ操作画面８５内でマイコンピュータ操作部８６がサーバ装置操作部１０１の後側に重ねて表示されている状態で、当該マイコンピュータ操作部８６の選択ボタン８６Ａがマウス１８によりクリック操作されると、そのサーバ装置操作部１０１の前側にマイコンピュータ操作部８６を重ねて表示させる。
【０１３３】
そして、ＣＰＵ３５は、再生操作選択ボタン８７がマウス１８によりクリック操作されると再生操作モードとなり、引き続きキャビネット表示領域８９の右側に設けられた選択ボタン８９Ａがマウス１８によりクリック操作されると、複数のキャビネット名からなるプルダウンメニュー（図示せず）を表示させ、この状態でプルダウンメニューからマウス１８によるクリック操作で所望するキャビネット名が選択されると、当該キャビネット表示領域８９内にその選択されたキャビネット名を表示させると共に、ＨＤＤ３６のハードディスクから選択されたキャビネット名で管理している全てのビデオカプセルの付帯情報データを再生し、当該再生した付帯情報データに基づいてビデオカプセル名表示領域９０内に、指定されているテレビジョン番組の全ての番組名を一覧表示させると共に、その一覧表示させた番組名のうちの最も上に位置する番組名に対応する付帯情報データの録画番組情報及び更新情報を表示させる。
【０１３４】
また、ＣＰＵ３５は、ビデオカプセル名表示領域９０に一覧表示させた番組名のうちの所望する番組名の上にマウス１８の操作によりマウスカーソル（図示せず）が移動すると、その番組名に対応する付帯情報データの録画番組情報及び更新情報を情報表示領域９１に切換表示させる。
【０１３５】
このようにして、パーソナルコンピュータ４1 〜４N のＣＰＵ３５は、自己のＨＤＤ３６のハードディスクに記録しているテレビジョン番組を確認させ得るようになされている。
【０１３６】
また、ＣＰＵ３５は、ビデオカプセル名表示領域９０内でいずれかの番組名がマウス１８によるクリック操作で選択され、引き続き送信ボタン９２がマウス１８によりクリック操作されると、その選択された番組名に対応するビデオカプセルをＨＤＤ３６のハードディスクから再生してＬＡＮ３を介してサーバ装置２に送信する。
【０１３７】
これにより、サーバ装置２のＣＰＵ１０は、パーソナルコンピュータ４1 〜４N で保管していたビデオカプセルをＨＤＤ２０のハードディスクに記録して保管することができる。
【０１３８】
さらに、パーソナルコンピュータ４1 〜４N のＣＰＵ３５は、ビデオカプセル名表示領域９０内でいずれかの番組名がマウス１８によるクリック操作で選択され、引き続き削除ボタン９５がマウス１８によりクリック操作されると、その選択された番組名と共に対応する付帯情報データの録画番組情報及び更新情報をビデオカプセル名表示領域９０及び情報表示領域９１内から削除すると共に、削除の指定された番組名に対応するビデオカプセルをＨＤＤ３６のハードディスクから削除する。
【０１３９】
因みに、ＣＰＵ３５は、サーバ装置２にビデオカプセルを送信するものの、当該サーバ装置２において、ＨＤＤ２０のハードディスク容量が不足していてそのビデオカプセルを記録し難いときには、サーバ装置２から送信されるエラーメッセージを例えばサーバ操作画面８５内の情報表示領域９１に表示させると共に、当該エラーメッセージに基づく所定の音声をスピーカ２２から放音させて報知することができる。
【０１４０】
また、ＣＰＵ３５は、マイコンピュータ操作部８６のビデオカプセル名表示領域９０内でいずれかの番組名がマウス１８によるクリック操作で選択され、引き続き新規再生指定ボタン９４又は継続再生指定ボタン１０８がマウス１８によりクリック操作されると、図１７について上述した再生操作画面１２０を表示部１９に表示させる。
【０１４１】
そして、ＣＰＵ３５は、ＨＤＤ３６のハードディスクから対応するビデオカプセルの圧縮符号化データＤ２を先頭又は途中から順次再生して順次伸張復号化した後、得られる映像データＤ３Ａを表示部１９に送出すると共に、当該圧縮符号化データＤ２をその先頭から順次伸張復号化して得られる音声データＤ３Ｂをスピーカ２２に送出することにより、サーバ装置２からテレビジョン番組を再生した場合と同様にしてＨＤＤ３６のハードディスクに記録していたビデオカプセルのテレビジョン番組を視聴させることができる。
【０１４２】
因みに、サーバ装置２のＣＰＵ１０は、パーソナルコンピュータ４１〜４Ｎから送信要求や再生要求等があると、その要求のあった日時及び要求内容を履歴データとしてＨＤＤ２０のハードディスクに記録しておき、キーボード１７及びマウス１８を介して入力される履歴閲覧要求に応じて表示部１９にその履歴を表示させることにより、サーバ装置２の処理付加が大きくなるとき等を知らせることができる。
【０１４３】
ここで、パーソナルコンピュータ４1 〜４N のＣＰＵ３５は、表示部１９に表示させているサーバ操作画面８５内の接続ボタン９９がマウス１８によりクリック操作されてサーバ装置２との間の通信状態を確保すると、ＲＡＭ１１上で立ち上げているサーバ操作プログラムＰ９に従って、図１９及び図２０に示すサーバ操作処理手順ＲＴ１をステップＳＰ１において開始し、続くステップＳＰ２において、サーバ装置２との間の通信状態を解除したか否かを判断する。
【０１４４】
このステップＳＰ２において、否定結果を得ることは、サーバ操作画面８５内の接続解除ボタン１００がマウス１８によりクリック操作されていないために、いまだサーバ装置２との間の通信状態を確保していることを意味し、このとき、ＣＰＵ３５は、ステップＳＰ３に進んでサーバ操作画面８５内において、サーバ装置操作部１０１の前側にマイコンピュータ操作部８６を重ねて表示させているか否かを判断する。
【０１４５】
このステップＳＰ３において、肯定結果を得ることは、サーバ操作画面８５内において、サーバ装置操作部１０１の前側にマイコンピュータ操作部８６を重ねて表示させていることを意味し、このとき、ＣＰＵ３５は、ステップＳＰ４に進んでマイコンピュータ操作部８６を介してサーバ装置２に対するデータの送信要求が入力されたか否かを判断する。
【０１４６】
このステップＳＰ４において、肯定結果を得ることは、録画予約操作モードであれば、マイコンピュータ操作部８６を介して予約情報データの送信要求が入力されたことを意味し、再生操作モードであれば、マイコンピュータ操作部８６を介してビデオカプセルの送信要求が入力されたことを意味することにより、このとき、ＣＰＵ３５は、ステップＳＰ５に進んで、入力された送信要求が予約情報データに対応するものであるか否かを判断する。
【０１４７】
このステップＳＰ５において、肯定結果を得ることは、マイコンピュータ操作部８６を介して入力された送信要求が予約情報データに対するものであることを意味し、このとき、ＣＰＵ３５は、ステップＳＰ６に進んで、ＨＤＤ３６のハードディスクからマイコンピュータ操作部８６を介して指定された予約情報データを再生し、当該再生した予約情報データをＬＡＮ３を介してサーバ装置２に送信した後、ステップＳＰ２に戻る。
【０１４８】
これに対して、ステップＳＰ５において、否定結果を得ることは、マイコンピュータ操作部８６を介して入力された送信要求がビデオカプセルに対するものであることを意味し、このとき、ＣＰＵ３５は、ステップＳＰ７に進んで、ＨＤＤ３６のハードディスクからマイコンピュータ操作部８６を介して指定されたビデオカプセルを再生し、当該再生したビデオカプセルをＬＡＮ３を介してサーバ装置２に送信した後、ステップＳＰ２に戻る。
【０１４９】
ところで、ステップＳＰ２において、肯定結果を得ることは、サーバ操作画面８５内の接続解除ボタン１００がマウス１８によりクリック操作されたために、サーバ装置２との間の通信状態を解除することを意味し、このとき、ＣＰＵ３５は、ステップＳＰ８に進んでこのサーバ操作処理手順ＲＴ１を終了する。
【０１５０】
また、ステップＳＰ４において、否定結果を得ることは、マイコンピュータ操作部８６を介して何ら送信要求が入力されていないことを意味し、このとき、ＣＰＵ３５は、ステップＳＰ２に戻る。
【０１５１】
従って、ＣＰＵ３５は、サーバ操作画面８５内において、サーバ装置操作部１０１の前側にマイコンピュータ操作部８６を重ねて表示させている状態では、サーバ装置２との間の通信状態を解除するまでの間、ステップＳＰ２−ＳＰ３−ＳＰ４−ＳＰ２の処理ループを繰り返すことにより、マイコンピュータ操作部８６を介して送信要求が入力されることを待ち受け、当該マイコンピュータ操作部８６を介して送信要求が入力されると、ステップＳＰ５−ＳＰ６−ＳＰ７の処理を実行する。
【０１５２】
一方、ステップＳＰ３において、否定結果を得ることは、サーバ操作画面８５内において、マイコンピュータ操作部８６の前側にサーバ装置操作部１０１を重ねて表示させていることを意味し、このとき、ＣＰＵ３５は、ステップＳＰ９に進んで、予約状況リスト又は録画状況リストをサーバ装置２から取得しているか否かを判断する。
【０１５３】
このステップＳＰ９において、肯定結果を得ることは、録画予約操作モードであれば、サーバ装置２から予約状況リストを取得してサーバ操作画面８５内のサーバ装置操作部１０１に予約録画対象のテレビジョン番組の番組名の一覧と、予約録画の設定情報とを表示させていることを意味し、再生操作モードであれば、サーバ装置２から録画状況リストを取得してサーバ操作画面８５内のサーバ装置操作部１０１に、サーバ装置２ですでに録画しているテレビジョン番組の番組名の一覧と、付帯情報データの録画番組情報及び更新情報とを表示させていることを意味することにより、このとき、ＣＰＵ３５は、ステップＳＰ１０に進んで、ビデオカプセルの再生要求が入力されたか否かを判断する。
【０１５４】
ステップＳＰ１０において、肯定結果を得ることは、再生操作モードにおいて、サーバ装置操作部１０１を介して所望するビデオカプセルの再生要求が入力されたことを意味し、このとき、ＣＰＵ３５は、ステップＳＰ１１に進んで、サーバ装置操作部１０１を介して指定されたビデオカプセルの再生要求をサーバ装置２にＬＡＮ３を介して送信し、この結果、サーバ装置２で再生されたビデオカプセルを取得することにより当該ビデオカプセルに基づいて得られるテレビジョン番組をリアルタイムで視聴させてステップＳＰ２に戻る。
【０１５５】
また、ステップＳＰ１０において、否定結果を得ることは、サーバ装置操作部１０１を介してビデオカプセルの再生要求が入力されていないことを意味し、このとき、ＣＰＵ３５は、ステップＳＰ１２に進んで、ビデオカプセルの送信要求が入力されたか否かを判断する。
【０１５６】
ステップＳＰ１２において、肯定結果を得ることは、再生操作モードにおいて、サーバ装置操作部１０１を介して所望するビデオカプセルの送信要求が入力されたことを意味し、このとき、ＣＰＵ３５は、ステップＳＰ１３に進んで、サーバ装置操作部１０１を介して指定されたビデオカプセルの送信要求をサーバ装置２にＬＡＮ３を介して送信し、この結果、サーバ装置２から送信されたビデオカプセルを取得することにより当該ビデオカプセルをＨＤＤ３６のハードディスクに記録し、この後、ステップＳＰ２に戻る。
【０１５７】
これに対して、ステップＳＰ１２において、否定結果を得ることは、サーバ装置操作部１０１を介してビデオカプセルの送信要求が入力されていないことを意味し、このとき、ＣＰＵ３５は、ステップＳＰ１４に進んで、予約録画データ又はビデオカプセルの削除要求が入力されたか否かを判断する。
【０１５８】
このステップＳＰ１４において、肯定結果を得ることは、予約録画操作モードであれば、サーバ装置操作部１０１を介して予約録画データの削除要求が入力されたことを意味し、再生操作モードであれば、サーバ装置操作部１０１を介してビデオカプセルの削除要求が入力されたことを意味することにより、このとき、ＣＰＵ３５は、ステップＳＰ１５に進んで、予約録画操作モードであれば、サーバ装置操作部１０１を介して指定された予約録画データに対する削除要求をサーバ装置２にＬＡＮ３を介して送信し、再生操作モードであれば、サーバ装置操作部１０１を介して指定されたビデオカプセルに対する削除要求をサーバ装置２にＬＡＮ３を介して送信し、この後、ステップＳＰ２に戻る。
【０１５９】
これに対して、ステップＳＰ１４において、否定結果を得ることは、予約録画データ及びビデオカプセルに対する削除要求が入力されていないことによりサーバ装置２に対する要求が何ら入力されていないことを意味し、このとき、ＣＰＵ３５は、ステップＳＰ２に戻る。
【０１６０】
また、ステップＳＰ９において、否定結果を得ることは、サーバ装置２から予約状況リスト及び録画状況リストのいずれも取得していないことを意味し、このとき、ＣＰＵ３５は、ステップＳＰ２に戻る。
【０１６１】
従って、ＣＰＵ３５は、サーバ操作画面８５内において、マイコンピュータ操作部８６の前側にサーバ装置操作部１０１を重ねて表示させている状態では、サーバ装置２との間の通信状態を解除するまでの間、ステップＳＰ２−ＳＰ３−ＳＰ９−ＳＰ２の処理ループを繰り返すことにより、サーバ装置操作部１０１を介して予約状況リスト又は録画状況リストの送信要求が入力されることを待ち受け、当該予約状況リスト又は録画状況リストの送信要求が入力されると、ステップＳＰ１０、ステップＳＰ１２、ステップＳＰ１４において、サーバ装置２に対する何らかの要求が入力されることを待ち受けながら、入力された要求に応じた処理を実行する。
【０１６２】
因みに、ＣＰＵ３５は、かかる一連のサーバ操作処理手順ＲＴ１において、ＨＤＤ３６のハードディスクへの予約状況データやビデオカプセル等のデータの記録再生や、ビデオカプセルに基づいて得られる圧縮符号化データＤ２の伸張復号化処理は、ＲＡＭ１１上で立ち上げている記録再生プログラムＰ８に従って実行している。
【０１６３】
サーバ装置２のＣＰＵ１０は、パーソナルコンピュータ４1 〜４N との間の通信状態が確保されると、ＲＡＭ１１上で立ち上げている記録再生プログラムＰ６に従って、図２１及び図２２に示す記録再生処理手順ＲＴ２をステップＳＰ１０において開始し、続くステップＳＰ２１において、パーソナルコンピュータ４1 〜４N との間の通信状態が解除されたか否かを判断する。
【０１６４】
ステップＳＰ２１において、否定結果を得ることは、パーソナルコンピュータ４1 〜４N との間の通信状態が確保されていることを意味し、このとき、ＣＰＵ１０は、ステップＳＰ２２に進んで、予約情報データを受信したか否かを判断する。
【０１６５】
このステップＳＰ２２において、肯定結果を得ることは、パーソナルコンピュータ４1 〜４N から予約録画データの生成用に送信された予約情報データを画像処理ボード２４を介して受信したことを意味し、このとき、ＣＰＵ１０は、ステップＳＰ２３に進み、その予約情報データに基づいて、ＨＤＤ２０のハードディスクに当該予約情報データによって指定されている予約録画対象のテレビジョン番組を記録するための記録領域を確保し得るか否かを判断する。
【０１６６】
ステップＳＰ２３において、肯定結果を得ることは、ＨＤＤ２０のハードディスクに予約情報データによって指定されている予約録画対象のテレビジョン番組を記録するための記録領域を確保し得ることを意味し、このとき、ＣＰＵ１０は、ステップＳＰ２４に進んで、ＲＡＭ１１上で立ち上げている予約録画設定プログラムＰ２に従って予約情報データから生成した予約録画データをＨＤＤ２０のハードディスクに記録した後、ステップＳＰ２１に戻る。
【０１６７】
これに対して、ステップＳＰ２３において、否定結果を得ることは、予約情報データに基づいて予約録画データを生成しても、ＨＤＤ２０のハードディスクにその予約情報データによって指定されている予約録画対象のテレビジョン番組を記録するための記録領域を確保することができないことを意味し、このとき、ＣＰＵ１０は、ステップＳＰ２５に進んで、ＨＤＤ２０のハードディスクに予約録画対象のテレビジョン番組に対する記録領域を確保することができないために予約情報データからは予約録画データを生成し難いことを表すエラーメッセージを当該予約情報データの送信元であるパーソナルコンピュータ４1 〜４N にＬＡＮ３を介して送信し、この後ステップＳＰ２１に戻る。
【０１６８】
また、ステップＳＰ２２において、否定結果を得ることは、パーソナルコンピュータ４1 〜４N からは予約情報データが送信されていないことを意味し、このとき、ＣＰＵ１０は、ステップＳＰ２６に進んで、ビデオカプセルを受信したか否かを判断する。
【０１６９】
ステップＳＰ２６において、肯定結果を得ることは、パーソナルコンピュータ４1 〜４N から送信されたビデオカプセルを画像処理ボード２４を介して受信したことを意味し、このとき、ＣＰＵ１０は、ステップＳＰ２７に進み、ＨＤＤ２０のハードディスクにそのビデオカプセルを記録するための記録領域を確保し得るか否かを判断する。
【０１７０】
ステップＳＰ２７において、肯定結果を得ることは、ＨＤＤ２０のハードディスクにビデオカプセルを記録し得る分の空き領域が存在することを意味し、このとき、ＣＰＵ１０は、ステップＳＰ２８に進んで、ＨＤＤ２０のハードディスクにビデオカプセルを記録し、この後、ステップＳＰ２１に戻る。
【０１７１】
これに対して、ステップＳＰ２７において、否定結果を得ることは、ＨＤＤ２０のハードディスクにビデオカプセルを記録し得る分の空き領域が存在しないことを意味し、このとき、ＣＰＵ１０は、ステップＳＰ２９に進んで、ＨＤＤ２０のハードディスクに空き領域の不足でビデオカプセルを記録することができないことを表すエラーメッセージを当該ビデオカプセルの送信元であるパーソナルコンピュータ４1 〜４N にＬＡＮ３を介して送信し、この後ステップＳＰ２１に戻る。
【０１７２】
また、ステップＳＰ２６において、否定結果を得ることは、パーソナルコンピュータ４1 〜４N からはビデオカプセルは送信されていないことを意味し、このとき、ＣＰＵ１０は、ステップＳＰ３０に進んで、予約状況リスト又は録画状況リストの送信要求を受信したか否かを判断する。
【０１７３】
このステップＳＰ３０において、肯定結果を得ることは、パーソナルコンピュータ４1 〜４N から送信された予約状況リスト又は録画状況リストの送信要求を画像処理ボード２４を介して受信したことを意味し、このとき、ＣＰＵ１０は、ステップＳＰ３１に進み、受信した要求が予約状況リストの送信要求であれば、ＨＤＤ２０のハードディスクから対応する予約録画データを再生し、当該再生した予約録画データから予約状況リストを生成してこれをＬＡＮ３を介して要求元のパーソナルコンピュータ４1 〜４N に送信し、受信した要求が録画状況リストの送信要求であれば、ＨＤＤ２０のハードディスクから対応するビデオカプセルの付帯情報データを再生し、当該再生した付帯情報データに基づいて録画状況リストを生成してこれをＬＡＮ３を介して要求元のパーソナルコンピュータ４1 〜４N に送信した後、ステップＳＰ２１に戻る。
【０１７４】
これに対して、ステップＳＰ３０において、否定結果を得ることは、パーソナルコンピュータ４1 〜４N からは予約状況リスト及び録画状況リストのいずれに対する送信要求も送信されていないことを意味し、このとき、ＣＰＵ１０は、ステップＳＰ３２に進んで、ビデオカプセルの再生要求を受信したか否かを判断する。
【０１７５】
ステップＳＰ３２において、肯定結果を得ることは、パーソナルコンピュータ４1 〜４N から送信されたビデオカプセルの再生要求を画像処理ボード２４を介して受信したことを意味し、このとき、ＣＰＵ１０は、ステップＳＰ３３に進み、ＨＤＤ２０のハードディスクから再生要求で指定されているビデオカプセルを再生してこれをＬＡＮ３を介して再生要求元のパーソナルコンピュータ４1 〜４N に送信した後、ステップＳＰ２１に戻る。
【０１７６】
これに対して、ステップＳＰ３２において、否定結果を得ることは、パーソナルコンピュータ４1 〜４N からはビデオカプセルの再生要求が送信されていないことを意味し、このとき、ＣＰＵ１０は、ステップＳＰ３４に進んで、ビデオカプセルの送信要求を受信したか否かを判断する。
【０１７７】
ステップＳＰ３４において、肯定結果を得ることは、パーソナルコンピュータ４1 〜４N から送信されたビデオカプセルの送信要求を画像処理ボード２４を介して受信したことを意味し、このとき、ＣＰＵ１０は、ステップＳＰ３５に進み、ＨＤＤ２０のハードディスクから送信要求で指定されているビデオカプセルを再生してこれをＬＡＮ３を介して送信要求元のパーソナルコンピュータ４1 〜４N に送信した後、ステップＳＰ２１に戻る。
【０１７８】
これに対して、ステップＳＰ３４において、否定結果を得ることは、パーソナルコンピュータ４1 〜４N からはビデオカプセルの送信要求が送信されていないことを意味し、このとき、ＣＰＵ１０は、ステップＳＰ３６に進んで、予約録画データ又はビデオカプセルに対する削除要求を受信したか否かを判断する。
【０１７９】
このステップＳＰ３６において、肯定結果を得ることは、パーソナルコンピュータ４1 〜４N から送信された予約録画データ又はビデオカプセルのいずれかに対する削除要求を画像処理ボード２４を介して受信したことを意味し、このとき、ＣＰＵ１０は、ステップＳＰ３７に進み、予約録画データに対する削除要求を受信している場合には、ＨＤＤ２０のハードディスクに記録している各予約録画データのうちの削除要求で指定されている予約録画データを削除し、ビデオカプセルに対する削除要求を受信している場合には、ＨＤＤ２０のハードディスクに記録している各ビデオカプセルのうちの削除要求で指定されているビデオカプセルを削除した後、ステップＳＰ２１に戻る。
【０１８０】
これに対して、ステップＳＰ３６において、否定結果を得ることは、パーソナルコンピュータ４1 〜４N からは予約録画データ及びビデオカプセルのいずれに対する削除要求も送信されていないことを意味し、このとき、ＣＰＵ１０は、ステップＳＰ２１に戻る。
【０１８１】
このようにして、ＣＰＵ１０は、パーソナルコンピュータ４1 〜４N との間の通信状態が解除されるまでは、当該パーソナルコンピュータ４1 〜４N から送信される各種要求を待ち受けるようにして当該要求を受信する毎にその要求に対応する処理を実行し、この後、ステップＳＰ２１においてパーソナルコンピュータ４1 〜４N との間の通信状態が解除されたこと検出して肯定結果を得ると、ステップＳＰ３８に進んでこの記録再生処理手順ＲＴ２を終了する。
【０１８２】
なお、この実施の形態の場合、パーソナルコンピュータ４1 〜４N からＬＡＮ３を介してサーバ装置２に何らかの要求をする場合、サーバ装置２固有のパスワードや識別情報等を用いて相互に認証するようにすれば、家庭内のシステムと言えども、部外者がサーバ装置２内のビデオカプセルや予約録画データ等を容易には改竄できなくすることができる。
【０１８３】
また、各パーソナルコンピュータ４1 〜４N にそれぞれ固有の識別情報や、パーソナルコンピュータ４1 〜４N を操作する個々のユーザに固有の識別情報を用いてサーバ装置２内でビデオカプセルや予約録画データを管理すれば、一方のユーザが記録を指示した予約録画データやビデオカプセルを他方のユーザが削除することを防止することができる。
【０１８４】
以上の構成において、ホームネットワークシステム１では、テレビジョン放送を受信し得るサーバ装置２にパーソナルコンピュータ４1 〜４N からテレビジョン番組を予約録画するために必要な予約情報データを生成してこれをＬＡＮ３を介して送信する。
【０１８５】
そして、ホームネットワークシステム１では、サーバ装置２によりパーソナルコンピュータ４1 〜４N から取得した予約情報データに基づいて予約録画を設定する予約録画データを生成し、当該生成した予約録画データをＨＤＤ２０のハードディスクに記録して管理しながら、その予約録画データにより指定された録画開始時刻になると、同様に予約録画データにより指定されたテレビジョン番組を選択して録画するようにした。
【０１８６】
また、ホームネットワークシステム１では、パーソナルコンピュータ４１〜４ＮからＬＡＮ３を介してサーバ装置２にテレビジョン番組に対する再生要求を送信し、この結果、サーバ装置２から再生して得られるテレビジョン番組をパーソナルコンピュータ４１〜４Ｎの表示部１９及びスピーカ２２を介してそのまま出力させてリアルタイムで視聴させるようにした。
【０１８７】
さらに、ホームネットワークシステム１では、サーバ装置２に録画したテレビジョン番組と共に、その付帯情報の一部の更新情報として、テレビジョン番組の再生履歴を記録しておき、パーソナルコンピュータ４1 〜４N によりサーバ装置２から再生履歴に応じてテレビジョン番組をその先頭から再生し、又は前回途中まで再生しているときにはその続きから再生し得るようにした。
【０１８８】
従って、このホームネットワークシステム１では、家庭内のサーバ装置２を据え置いた部屋へわざわざ行かなくても、他の部屋等の所望する場所からパーソナルコンピュータ４1 〜４N によりサーバ装置２を容易に遠隔操作してテレビジョン番組の予約録画を設定したり、当該サーバ装置２で録画したテレビジョン番組をリアルタイムで視聴させることができると共に、サーバ装置２において、ハードディスクにテレビジョン番組を録画しているため、サーバ装置２に対して複数のパーソナルコンピュータ４1 〜４N が同時にアクセスしてもかかる遠隔操作を実現することができる。
【０１８９】
さらに、ビデオテープレコーダであれば、使用中のビデオテープの記録容量が新たなテレビジョン番組の録画に対して不足している場合、そのビデオテープを直接交換するような煩雑な操作が必要となるが、ホームネットワークシステム１では、内部のＨＤＤ２０のハードディスクにテレビジョン番組を録画するための記録容量が不足しても、当該サーバ装置２内のＨＤＤ２０のハードディスクに記録している予約設定データやテレビジョン番組をパーソナルコンピュータ４1 〜４N により遠隔操作して削除することができ、かくして、サーバ装置２内のＨＤＤ２０のハードディスクに対して容易に記録領域を確保することができる。
【０１９０】
これに加えて、ホームネットワークシステム１では、パーソナルコンピュータ４1 〜４N からのテレビジョン番組に対する送信要求により、サーバ装置２に録画しているテレビジョン番組をＬＡＮ３を介してパーソナルコンピュータ４1 〜４N に送信して保持させ、又は、パーソナルコンピュータ４1 〜４N に保持しているテレビジョン番組をＬＡＮ３を介してサーバ装置２に送信して保持させるようにした。
【０１９１】
このため、ビデオテープレコーダを用いてビデオテープにテレビジョン番組を録画すると、そのテレビジョン番組を他の機器に提供する場合、少なくとも２台のビデオテープレコーダを用意して一方のビデオテープから他方のビデオテープにテレビジョン番組をダビングする必要があり、そのダビングに手間や多大な時間がかかるが、このホームネットワークシステム１では、サーバ装置２からパーソナルコンピュータ４１〜４Ｎ、又はこれとは逆のパーソナルコンピュータ４１〜４Ｎからサーバ装置２へのテレビジョン番組の提供を容易に実現することができる。
【０１９２】
以上の構成によれば、サーバ装置２にＬＡＮ３を介してパーソナルコンピュータ４1 〜４N を接続し、当該サーバ装置２において、パーソナルコンピュータ４1 〜４N からＬＡＮ３を介して与えられる操作要求に応じてテレビジョン番組の録画再生を実行するようにしたことにより、サーバ装置２をパーソナルコンピュータ４1 〜４N により所望する場所から容易に遠隔操作することができ、かくして、使い勝手を向上し得るホームネットワークシステムを実現することができる。
【０１９３】
なお、上述の実施の形態においては、サーバ装置２によりアナログ方式のテレビジョン放送を受信してテレビジョン番組を録画するようにした場合について述べたが、本発明はこれに限らず、サーバ装置２によりディジタル方式のテレビジョン放送を受信してテレビジョン番組を録画したり、他の記録再生装置から供給されるアナログでなる映像信号又はディジタルでなる映像データを記録再生するようにしても良い。
【０１９４】
また、上述の実施の形態においては、パーソナルコンピュータ４1 〜４N によりテレビジョン番組に基づくビデオカプセルを保持し、必要に応じてサーバ装置２に送信するようにした場合について述べたが、本発明はこれに限らず、パーソナルコンピュータ４1 〜４N によりビデオカメラから得られる撮像データ等を保持し、これを必要に応じてサーバ装置２に送信するようにしても良い。
【０１９５】
さらに、上述の実施の形態においては、パーソナルコンピュータ４１〜４Ｎにおいて表示部１９に番組映像を表示させたときに、当該番組映像内の静止画像も合わせて表示させるようにした場合について述べたが、本発明はこれに限らず、サーバ装置２において、表示部１９に番組映像を表示させるときに当該番組映像内の静止画像も合わせて表示させるようにしても良い。
【０１９６】
さらに、上述の実施の形態においては、本発明を図１〜図２２について上述したホームネットワークシステム１に適用するようにした場合について述べたが、本発明はこれに限らず、端末装置とサーバ装置とをローカルエリアネットワークを介して接続して構築するものであれば、オフィスビル等の所定の敷地内で構築されるネットワークシステム等のように、この他種々の記録再生ネットワークシステムに広く適用することができる。
【０１９７】
さらに、上述の実施の形態においては、ＣＰＵ１０がＨＤＤ２０のハードディスクに予め記憶されたＷＷＷブラウザＰ１、予約録画選定プログラムＰ２、予約監視プログラムＰ３、管理検索プログラムＰ４、編集プログラムＰ５及び記録再生プログラムＰ６に基づいて、パーソナルコンピュータ４1 〜４N の操作要求に対応した一連の処理を実行するようにした場合について述べたが、本発明はこれに限らず、ＷＷＷブラウザＰ１、予約録画選定プログラムＰ２、予約監視プログラムＰ３、管理検索プログラムＰ４、編集プログラムＰ５及び記録再生プログラムＰ６の記録されたプログラム格納媒体をサーバ装置２にインストールすることにより、上述した一連の処理を実行するようにしても良い。
【０１９８】
このように上述した一連の処理を実行するためのＷＷＷブラウザＰ１、予約録画選定プログラムＰ２、予約監視プログラムＰ３、管理検索プログラムＰ４、編集プログラムＰ５及び記録再生プログラムＰ６をサーバ装置２にインストールし、当該サーバ装置２によって実行可能な状態とするために用いられるプログラム格納媒体としては、例えば、フロッピーディスク、ＣＤ−ＲＯＭ（Compact Disc-Read Only Memory ）、ＤＶＤ（Digital Video Disc）等のパッケージメディアのみならず、プログラムが一時的もしくは永続的に格納される半導体メモリや磁気ディスク等で実現しても良い。また、これらプログラム格納媒体にプログラムを格納する手段としては、ＬＡＮやインターネット、ディジタル衛星放送等の有線及び無線通信媒体を利用しても良く、ルータやモデム等の各種通信インターフェイスを介在させて格納するようにしても良い。
【０１９９】
また、パーソナルコンピュータ４1 〜４N において、ＣＰＵ３５が一連の処理を実行するために用いるＷＷＷブラウザＰ１、予約情報設定プログラムＰ７、記録再生プログラムＰ８及びサーバ操作プログラムＰ９についても同様にプログラム格納媒体を用いることができる。
【０２００】
さらに、上述の実施の形態においては、サーバ装置とローカルエリアネットワークを介して接続される端末装置として、パーソナルコンピュータ４1 〜４N を適用するようにした場合について述べたが、本発明はこれに限らず、サーバ操作をローカルエリアネットワークを介して遠隔操作することができれば、情報処理端末や携帯端末等のように、この他種々の端末装置を広く適用することができる。
【０２０１】
さらに、上述の実施の形態においては、端末装置とローカルエリアネットワークを介して接続されるサーバ装置として、パーソナルコンピュータ構成のサーバ装置２を適用するようにした場合について述べたが、本発明はこれに限らず、映像データを記録再生してローカルエリアネットワーク上に送信することができれば、この他種々の構成でなるサーバ装置を広く適用することができる。
【０２０２】
さらに、上述の実施の形態においては、端末装置とサーバ装置とをケーブルを用いるローカルエリアネットワークを介して接続するようにした場合について述べたが、本発明はこれに限らず、端末装置とサーバ装置とを無線通信のローカルエリアネットワークを介して接続しても良い。
【０２０３】
さらに、上述の実施の形態においては、サーバ装置に対する再生要求を生成する操作要求生成手段として、ＣＰＵ３５を適用するようにした場合について述べたが、本発明はこれに限らず、サーバ装置に対する再生要求を生成することができれば、この他種々の構成の操作要求生成手段を広く適用することができる。
【０２０４】
さらに、上述の実施の形態においては、ローカルエリアネットワークを介してサーバ装置との間で通信する通信手段として、ネットワークインターフェイス３７を適用するようにした場合について述べたが、本発明はこれに限らず、ローカルエリアネットワークを介してサーバ装置との間で通信することができれば、この他種々の構成の通信手段を広く適用することができる。
【０２０５】
さらに、上述の実施の形態においては、ローカルエリアネットワークを介して端末装置との間で通信する通信手段として、ネットワークインターフェイス３１を適用するようにした場合について述べたが、本発明はこれに限らず、ローカルエリアネットワークを介して端末装置との間で通信することができれば、この他種々の構成の通信手段を広く適用することができる。
【０２０６】
さらに、上述の実施の形態においては、所定の記録媒体に映像データを記録再生する記録再生手段として、ハードディスクにデータ記録再生するＨＤＤ２０を適用するようにした場合について述べたが、本発明はこれに限らず、所定の記録媒体に映像データを記録再生することができれば、この他種々の記録媒体を用いる構成の記録再生手段を広く適用することができる。
【０２０７】
さらに、上述の実施の形態においては、端末装置からローカルエリアネットワークを介して与えられる再生要求に応じて、記録再生手段により記録媒体から映像データを再生させると共に、当該再生させた映像データを通信手段からローカルエリアネットワークを介して端末装置に送信させる制御手段として、ＣＰＵ１０を適用するようにした場合について述べたが、本発明はこれに限らず、端末装置からローカルエリアネットワークを介して与えられる再生要求に応じて、記録再生手段により記録媒体から映像データを再生させると共に、当該再生させた映像データを通信手段からローカルエリアネットワークを介して端末装置に送信させることができれば、この他種々の構成の制御手段を広く適用することができる。
【０２０８】
さらに、上述の実施の形態においては、映像データを選択するための付帯情報データを生成する付帯情報データ生成手段として、ＣＰＵ１０を適用するようにした場合について述べたが、本発明はこれに限らず、映像データを選択するための付帯情報データを生成することができれば、この他種々の構成の付帯情報データ生成手段を広く適用することができる。
【０２０９】
さらに、上述の実施の形態においては、サーバ装置からローカルエリアネットワークを介して送信される映像データに基づく映像をリアルタイムで表示させる表示手段として、ＣＰＵ３５及び表示部１９を適用するようにした場合について述べたが、本発明はこれに限らず、サーバ装置からローカルエリアネットワークを介して送信される映像データに基づく映像をリアルタイムで表示させることができれば、この他種々の構成の表示手段を広く適用することができる。
【０２１０】
さらに、上述の実施の形態においては、サーバ装置からローカルエリアネットワークを介して送信される映像データを所定の記録媒体に記録再生する記録再生手段として、ハードディスクにデータを記録再生するＨＤＤ３６を適用するようにした場合について述べたが、本発明はこれに限らず、サーバ装置からローカルエリアネットワークを介して送信される映像データを所定の記録媒体に記録再生することができれば、この他種々の構成の記録再生手段を広く適用することができる。
【０２１１】
さらに、上述の実施の形態においては、記録再生手段により記録媒体から映像データを再生させると共に、当該再生させた映像データを通信手段からローカルエリアネットワークを介してサーバ装置に送信させる制御手段として、ＣＰＵ３５を適用するようにした場合について述べたが、本発明はこれに限らず、記録再生手段により記録媒体から映像データを再生させると共に、当該再生させた映像データを通信手段からローカルエリアネットワークを介してサーバ装置に送信させることができれば、この他種々の構成の制御手段を広く適用することができる。
【０２１２】
さらに、上述の実施の形態においては、テレビジョン番組の映像データを受信する受信手段として、チューナ２５を適用するようにした場合について述べたが、本発明はこれに限らず、テレビジョン番組の映像データを受信することができれば、この他種々の構成の受信手段を広く適用することができる。
【０２１３】
さらに、上述の実施の形態においては、テレビジョン番組を予約録画するための予約録画データを生成する予約録画データ生成手段として、ＣＰＵ１０を適用するようにした場合について述べたが、本発明はこれに限らず、テレビジョン番組を予約録画するための予約録画データを生成することができれば、この他種々の構成の予約録画データ生成手段を広く適用することができる。
【０２１４】
さらに、上述の実施の形態においては、予約録画の設定内容を示す予約情報データを生成する予約情報データ生成手段として、ＣＰＵ３５を適用するようにした場合について述べたが、本発明はこれに限らず、予約録画の設定内容を示す予約情報データを生成することができれば、この他種々の構成の予約情報データ生成手段を広く適用することができる。
【０２１５】
【発明の効果】
上述のように本発明によれば、映像データを記録再生するサーバ装置と通信する端末装置が、映像データに基づく映像の名称及び当該映像に関する映像情報のリストを送信要求するリスト送信要求を生成して、当該生成したリスト送信要求をローカルエリアネットワークを介してサーバ装置に送信することにより、サーバ装置からリスト送信要求に応じてローカルエリアネットワークを介して送信されたリストを受信して、表示手段に当該リストに基づき映像の名称を一覧表示させると共に、当該一覧表示させた映像の名称の中で選択操作手段を介して任意に指示された当該映像の名称に対応する映像情報を表示させるようにして、選択操作手段を介して映像の名称により再生対象の映像データが任意に選択されると、当該選択された再生対象の映像データを示し、当該映像データを再生用に送信要求する再生映像送信要求を生成し、また選択操作手段を介して映像の名称により記録対象の映像データが任意に選択されると、当該選択された記録対象の映像データを示し、当該映像データを記録用に送信要求する記録映像送信要求を生成して、その再生映像送信要求をローカルエリアネットワークを介してサーバ装置に送信して、当該サーバ装置から再生映像送信要求に応じてローカルエリアネットワークを介して送信された映像データを受信しながら表示手段に当該映像データに基づく映像をリアルタイムで表示し、また記録映像送信要求をローカルエリアネットワークを介してサーバ装置に送信して、当該サーバ装置から記録映像送信要求に応じてローカルエリアネットワークを介して送信された映像データを受信して記録媒体に記録し、この後、端末側記録媒体から映像データを再生して表示手段に当該映像データに基づく映像を表示するようにしたことにより、サーバ装置を直接操作しなくても、端末装置において再生対象の所望の映像データを的確に選択させ、また記録対象の所望の映像データも的確に選択させたうえで、ローカルエリアネットワークを介してサーバ装置を容易に遠隔操作させて、当該サーバ装置から再生対象の映像データを再生しながらリアルタイムで表示して視聴させ、またサーバ装置から記録対象の映像データを取り込んで一旦記録した後に再生して表示して視聴させることができ、かくして記録再生システムの使い勝手を向上させることができる。
【図面の簡単な説明】
【図１】本発明によるホームネットワークシステムの構成の一実施の形態を示す略線図である。
【図２】サーバ装置の回路構成を示すブロック図である。
【図３】サーバ装置内の画像処理ボードの回路構成を示すブロック図である。
【図４】パーソナルコンピュータの回路構成を示すブロック図である。
【図５】サーバ装置内のプログラムの説明に供する略線図である。
【図６】番組表示画面の構成を示す略線図である。
【図７】第１の予約録画設定画面の構成を示す略線図である。
【図８】第２の予約録画設定画面の構成を示す略線図である。
【図９】第３の予約録画設定画面の構成を示す略線図である。
【図１０】番組表画面の構成を示す略線図である。
【図１１】付帯情報データの構成を示す略線図である。
【図１２】パーソナルコンピュータ内のプログラムの説明に供する略線図である。
【図１３】サーバ操作画面の構成を示す略線図である。
【図１４】パーソナルコンピュータとサーバ装置との間で通信状態を確保したときのサーバ操作画面の構成を示す略線図である。
【図１５】サーバ装置操作部を前側に表示したサーバ操作画面の構成を示す略線図である。
【図１６】サーバ装置操作部において再生操作選択ボタンが選択されたときのサーバ操作画面の構成を示す略線図である。
【図１７】再生操作画面の構成を示す略線図である。
【図１８】マイコンピュータ操作部において再生操作選択ボタンが選択されたときのサーバ操作画面の構成を示す略線図である。
【図１９】サーバ操作処理手順を示すフローチャートである。
【図２０】サーバ操作処理手順を示すフローチャートである。
【図２１】サーバ装置における記録再生処理手順を示すフローチャートである。
【図２２】サーバ装置における記録再生処理手順を示すフローチャートである。
【符号の説明】
１……ホームネットワークシステム、２……サーバ装置、３……ＬＡＮ、４1 〜４N ……パーソナルコンピュータ、１０、３５……ＣＰＵ、１７……キーボード、１８……マウス、１９……表示部、２０、３６……ＨＤＤ、２２……スピーカ、２４……画像処理ボード、５０……第１の予約録画設定画面、５１……第２の予約録画設定画面，５２……第３の予約録画設定画面、７７……番組表画面、８５……サーバ操作画面、１２０……再生操作画面、Ｐ１……ＷＷＷブラウザ、Ｐ２……予約録画設定プログラム、Ｐ３……予約監視プログラム、Ｐ４……管理検索プログラム、Ｐ６、Ｐ８……記録再生プログラム、Ｐ７……予約情報設定プログラム、Ｐ９……サーバ操作プログラム、ＲＴ１……サーバ操作処理手順、ＲＴ２……記録再生処理手順。
【図１】
0004296461.tif 000002
【図２】
0004296461.tif 000003
【図３】
0004296461.tif 000004
【図４】
0004296461.tif 000005
【図５】
0004296461.tif 000006
【図６】
0004296461.tif 000007
【図７】
0004296461.tif 000008
【図８】
0004296461.tif 000009
【図９】
0004296461.tif 000010
【図１０】
0004296461.tif 000011
【図１１】
0004296461.tif 000012
【図１２】
0004296461.tif 000013
【図１３】
0004296461.tif 000014
【図１４】
0004296461.tif 000015
【図１５】
0004296461.tif 000016
【図１６】
0004296461.tif 000017
【図１７】
0004296461.tif 000018
【図１８】
0004296461.tif 000019
【図１９】
0004296461.tif 000020
【図２０】
0004296461.tif 000021
【図２１】
0004296461.tif 000022
【図２２】
0004296461.tif 000023